(57)【要約】  本発明は、基地局と端末との間の上りリンク信号の送受信方法及びそれを支援する装置に関する。詳細には、本発明は、互いに異なるＴＴＩ（Ｔｒａｎｓｍｉｓｓｉｏｎ  Ｔｉｍｅ  Ｉｎｔｅｒｖａｌ）が適用された端末が同一のリソースを介して上りリンク信号を送信する場合、前記互いに異なるＴＴＩが適用された端末の共存のために、端末と基地局との間の信号送受信方法及びそれを支援する装置に関する。【選択図】図９
2019526196.tif 000002
【特許請求の範囲】
【請求項１】
無線通信システムにおいて、第１の時間長さのＴＴＩ（Ｔｒａｎｓｍｉｓｓｉｏｎ  Ｔｉｍｅ  Ｉｎｔｅｒｖａｌ）が適用された端末が、上りリンク信号を送信する方法であって、
第１の時間区間の間に基地局から第２の時間区間の間における上りリンク信号送信をスケジュールする上りリンクグラントを受信し、
前記基地局から前記第２の時間区間のうち一部のシンボルに関する情報を受信し、
前記第２の時間区間の間に前記第１の時間長さのＴＴＩに基づいて決定された構造によって、互いに異なるシンボルにおいて復調参照信号（ＤＭ−ＲＳ）、物理上りリンク制御チャンネル（ＰＵＣＣＨ）及び物理上りリンク共有チャンネル（ＰＵＳＣＨ）のうち１つ以上を送信し、
前記第１の時間長さのＴＴＩに基づいて決定された構造のうち前記受信された情報が指示する１つ以上のシンボルの各々に対してパンクチャリング（ｐｕｎｃｔｕｒｉｎｇ）又はレートマッチング（ｒａｔｅ−ｍａｔｃｈｉｎｇ）を実行し、又は前記第１の時間長さのＴＴＩに基づいて決定された構造の代わりにＤＭ−ＲＳを送信することを含む、上りリンク信号送信方法。
【請求項２】
前記第２の時間区間のうち一部のシンボルに関する情報は、前記第１の時間区間の間に送信される、請求項１に記載の上りリンク信号送信方法。
【請求項３】
前記第２の時間区間のうち一部のシンボルに関する情報は、前記第１の時間区間と前記第２の時間区間との間に位置する第３の時間区間の間に送信される、請求項１に記載の上りリンク信号送信方法。
【請求項４】
前記端末が前記第１の時間長さのＴＴＩに基づいて決定された構造のうち前記受信された情報が指示するシンボルのうち１つ以上のシンボルに対してパンクチャリング又はレートマッチングを行う場合、
前記端末のパンクチャリング又はレートマッチングを行うか否かは、前記第２の時間区間と第３の時間区間との時間差に基づいて決定される、請求項３に記載の上りリンク信号送信方法。
【請求項５】
前記第１の時間長さは、１つの時間区間の長さと同一である、請求項１に記載の上りリンク信号送信方法。
【請求項６】
前記１つの時間区間の長さは、システム上の１つのスロット（ｓｌｏｔ）区間の長さと同一である、請求項５に記載の上りリンク信号送信方法。
【請求項７】
前記第１の時間長さのＴＴＩに基づいて決定される構造は、
前記１つの時間区間のうち第１番目のシンボルから送信されるＤＭ−ＲＳと、
前記１つの時間区間のうち第２番目乃至第１３番目のシンボルから送信されるＰＵＳＣＨと、
前記１つの時間区間のうち第１４番目のシンボルから送信されるＰＵＣＣＨを含む、請求項５に記載の上りリンク信号送信方法。
【請求項８】
前記第１の時間長さのＴＴＩに基づいて決定される構造は、
前記１つの時間区間内の時間方向によって、
１つ以上のシンボルから送信される物理下りリンク制御チャンネル（ＰＤＣＣＨ）と、
１つ以上のシンボルに形成されるギャップ（ｇａｐ）と、
１つ以上のシンボルから送信されるＰＵＳＣＨと、
１つ以上のシンボルから送信されるＰＵＣＣＨとを含む、請求項５に記載の上りリンク信号送信方法。
【請求項９】
前記第２の時間区間のうち一部のシンボルに関する情報は、
上りリンク信号を空ける（ｅｍｐｔｙ）シンボルの位置と、
前記上りリンク信号を空ける動作としてパンクチャリング又はレートマッチングを行うか否かと、
さらにＤＭ−ＲＳを送信するシンボルの位置と、
さらに送信されるＤＭ−ＲＳのシーケンスの情報とのうち１つ以上を含む、請求項５に記載の上りリンク信号送信方法。
【請求項１０】
前記第２の時間区間のうち一部のシンボルに関する情報の一部は、上位層シグナリングで送信される、請求項９に記載の上りリンク信号送信方法。
【請求項１１】
無線通信システムにおいて、基地局が第１の時間長さのＴＴＩ（Ｔｒａｎｓｍｉｓｓｉｏｎ  Ｔｉｍｅ  Ｉｎｔｅｒｖａｌ）が適用された第１の端末と第２の時間長さのＴＴＩが適用された第２の端末とが共存する時間区間の間に前記第１の端末から上りリンク信号を受信する方法であって、
第１の時間区間の間に前記第１の端末に第２の時間区間の間の上りリンク信号送信をスケジュールする上りリンクグラントを送信し、
前記第２の時間区間の間に前記第１の端末と第２の端末とが共存する場合、前記第２の時間区間のうち一部のシンボルに関する情報を前記第１の端末に送信し、
前記第２の時間区間の間に前記第１の時間長さのＴＴＩに基づいて決定された構造によって互いに異なるシンボルで復調参照信号（ＤＭ−ＲＳ）、物理上りリンク制御チャンネル（ＰＵＣＣＨ）及び物理上りリンク共有チャンネル（ＰＵＳＣＨ）のうち１つ以上を前記第１の端末から受信して、
前記第２の時間区間のうち１つ以上のシンボルの各々に対しては、前記第１の端末からパンクチャリング又はレートマッチングが行われた上りリンク信号又はＤＭ−ＲＳを受信することを含む、上りリンク信号受信方法。
【請求項１２】
前記第２の時間区間のうち一部のシンボルに関する情報は、前記第１の時間区間の間に送信される、請求項１１に記載の上りリンク信号受信方法。
【請求項１３】
前記第２の時間区間のうち一部のシンボルに関する情報は、前記第１の時間区間と前記第２の時間区間との間に位置する第３の時間区間の間に送信される、請求項１１に記載の上りリンク信号受信方法。
【請求項１４】
前記第１の時間長さは、１つの時間区間の長さと同一である、請求項１１に記載の上りリンク信号受信方法。
【請求項１５】
前記１つの時間区間の長さは、システム上の１つのスロット（ｓｌｏｔ）区間の長さと同一である、請求項１４に記載の上りリンク信号受信方法。
【請求項１６】
前記第１の時間長さのＴＴＩに基づいて決定される構造は、
前記１つの時間区間のうち第１番目のシンボルから送信されるＤＭ−ＲＳと、
前記１つの時間区間のうち第２番目乃至第１３番目のシンボルから送信されるＰＵＳＣＨと、
前記１つの時間区間のうち第１４番目のシンボルから送信されるＰＵＣＣＨを含む、請求項１４に記載の上りリンク信号受信方法。
【請求項１７】
前記第１の時間長さのＴＴＩに基づいて決定される構造は、
前記１つの時間区間内の時間方向によって、
１つ以上のシンボルから送信される物理下りリンク制御チャンネル（ＰＤＣＣＨ）と、
１つ以上のシンボルに形成されるギャップ（ｇａｐ）と、
１つ以上のシンボルから送信されるＰＵＳＣＨと、
１つ以上のシンボルから送信されるＰＵＣＣＨとを含む、請求項１４に記載の上りリンク信号受信方法。
【請求項１８】
前記第２の時間区間のうち一部のシンボルに関する情報は、
上りリンク信号を空ける（ｅｍｐｔｙ）シンボルの位置と、
前記上りリンク信号を空ける動作としてパンクチャリング又はレートマッチングを行うか否かと、
さらにＤＭ−ＲＳを送信するシンボルの位置と、
さらに送信されるＤＭ−ＲＳのシーケンス情報とのうち１つ以上を含む、請求項１４に記載の上りリンク信号送信方法。
【請求項１９】
前記第２の時間区間のうち一部のシンボルに関する情報の一部は、上位層シグナリングで送信される、請求項１８に記載の上りリンク信号受信方法
【請求項２０】
無線通信システムにおいて、第１の時間長さのＴＴＩ（Ｔｒａｎｓｍｉｓｓｉｏｎ  Ｔｉｍｅ  Ｉｎｔｅｒｖａｌ）が適用され、上りリンク信号を送信する端末であって、
送信部と、
受信部と、
前記送信部及び受信部と連結され動作するプロセッサーを含み、
前記プロセッサーは、
第１の時間区間の間に基地局から第２の時間区間の間の上りリンク信号送信をスケジュールする上りリンクグラントを受信し、
前記基地局から前記第２の時間区間のうち一部のシンボルに関する情報を受信し、
前記第２の時間区間の間に前記第１の時間長さのＴＴＩに基づいて決定された構造によって互いに異なるシンボルで復調参照信号（ＤＭ−ＲＳ）、物理上りリンク制御チャンネル（ＰＵＣＣＨ）及び物理上りリンク共有チャンネル（ＰＵＳＣＨ）のうち１つ以上を送信して、
前記第１の時間長さのＴＴＩに基づいて決定された構造のうち前記受信された情報が指示する１つ以上のシンボルの各々に対してパンクチャリング（ｐｕｎｃｔｕｒｉｎｇ）又はレートマッチング（ｒａｔｅ−ｍａｔｃｈｉｎｇ）を実行し、又は前記第１の時間長さのＴＴＩに基づいて決定された構造の代わりにＤＭ−ＲＳを送信するように構成される端末。
【請求項２１】
無線通信システムにおいて、第１の時間長さのＴＴＩ（Ｔｒａｎｓｍｉｓｓｉｏｎ  Ｔｉｍｅ  Ｉｎｔｅｒｖａｌ）が適用された第１の端末と第２の時間長さのＴＴＩが適用された第２の端末とが共存する時間区間の間に、前記第１の端末から上りリンク信号を受信する基地局であって、
送信部と、
受信部と、
前記送信部及び受信部と連結され動作するプロセッサーを含み、
前記プロセッサーは、
第１の時間区間の間に前記第１の端末に第２の時間区間の間の上りリンク信号送信をスケジュールする上りリンクグラントを送信し、
前記第２の時間区間の間に前記第１の端末と第２の端末とが共存する場合、
前記第２の時間区間のうち一部のシンボルに関する情報を前記第１の端末に送信し、
前記第２の時間区間の間に前記第１の時間長さのＴＴＩに基づいて決定された構造によって、互いに異なるシンボルで復調参照信号（ＤＭ−ＲＳ）、物理上りリンク制御チャンネル（ＰＵＣＣＨ）及び物理上りリンク共有チャンネル（ＰＵＳＣＨ）のうち１つ以上を前記第１の端末から受信して、
前記第２の時間区間のうち１つ以上のシンボルの各々に対しては、前記第１の端末からパンクチャリング又はレートマッチングが行われた上りリンク信号又はＤＭ−ＲＳを受信するように構成される、基地局。
【発明の詳細な説明】
【技術分野】
【０００１】
以下の説明は、無線通信システムに関し、無線通信システムにおける端末と基地局との間の上りリンク信号の送受信方法及びそれを支援する装置に関する。
【０００２】
より具体的には、以下の説明は、互いに異なるＴＴＩ（Ｔｒａｎｓｍｉｓｓｉｏｎ  Ｔｉｍｅ  Ｉｎｔｅｒｖａｌ）が適用された端末が同一のリソースを通じて上りリンク信号を送信する場合、互いに異なるＴＴＩが適用された端末の共存のために、端末と基地局とで信号  を送受信する方法及びそれを支援する装置に関する説明を含む。
【背景技術】
【０００３】
無線接続システムが音声やデータなどの種々の通信サービスを提供するために広範囲に展開されている。一般に、無線接続システムは可用のシステムリソース（帯域幅、送信電力など）を共有して複数のユーザとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【０００４】
なお、多数の通信機器がより大きな通信容量を要求することにより、既存のＲＡＴ（ｒａｄｉｏ  ａｃｃｅｓｓ  ｔｅｃｈｎｏｌｏｇｙ）に比べて向上したモバイルブロードバンド通信の必要性が高まっている。また、多数の機器及びモノを連結していつでもどこでも多様なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が次世代通信において考えられている。さらに信頼性（ｒｅｌｉａｂｉｌｉｔｙ）及び遅延（ｌａｔｅｎｃｙ）などに敏感なサービス／ＵＥを考慮した通信システムのデザインも考えられている。
【０００５】
このように向上したモバイルブロードバンド通信、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が論議されている。
【発明の概要】
【発明が解決しようとする課題】
【０００６】
本発明の目的は、新たに提案される通信システムにおける基地局と端末とで信号を送受信する方法を提供することである。
【０００７】
特に、本発明は、互いに異なるＴＴＩが適用された端末が同一のリソースを用いて上りリンク信号を送信する場合、互いに異なるＴＴＩが適用された端末が共存して、基地局と端末とで高い信頼性をもって上りリンク信号を送受信する方法を含む基地局と端末との間の信号送受信方法を提供することを目的とする。
【０００８】
本発明で遂げようとする技術的目的は以上で言及した事項に限定されず、言及していない別の技術的課題は、以下に説明する本発明の実施例から、本発明の属する技術の分野における通常の知識を有する者によって考慮され得る。
【課題を解決するための手段】
【０００９】
本発明は、無線通信システムにおいて、基地局と端末が上りリンク信号を送受信する方法及び装置を提供する。特に、本発明においては、互いに異なるＴＴＩ（Ｔｒａｎｓｍｉｓｓｉｏｎ  Ｔｉｍｅ  Ｉｎｔｅｒｖａｌ）が適用された２つの端末が所定の時間区間の間に共存する場合、前記２つの端末のうち一方の端末と基地局との間で上りリンク信号を送受信する方法及びそのための装置を提供する。
【００１０】
本発明の一実施形態として、無線通信システムにおいて、第１の時間長さのＴＴＩ（Ｔｒａｎｓｍｉｓｓｉｏｎ  Ｔｉｍｅ  Ｉｎｔｅｒｖａｌ）が適用された端末が上りリンク信号を送信する方法であって、第１の時間区間の間に基地局から第２の時間区間の間の上りリンク信号送信をスケジュールする上りリンクグラントを受信し、前記基地局から前記第２の時間区間のうち一部のシンボルに関する情報を受信し、前記第２の時間区間の間に前記第１の時間長さのＴＴＩに基づいて決定された構造によって、互いに異なるシンボルで復調参照信号(ＤＭ−ＲＳ）、物理上りリンク制御チャンネル（ＰＵＣＣＨ）及び物理上りリンク共有チャンネル（ＰＵＳＣＨ）のうち１つ以上を送信して、前記第１の時間長さのＴＴＩに基づいて決定された構造のうち前記受信された情報が指示する１つ以上のシンボルの各々に対して、パンクチャリング（ｐｕｎｃｔｕｒｉｎｇ）又はレートマッチング（ｒａｔｅ−ｍａｔｃｈｉｎｇ）を実行、又は前記第１の時間長さのＴＴＩに基づいて決定された構造の代わりにＤＭ−ＲＳを送信することを含む、上りリンク信号送信方法を提案する。
【００１１】
本発明の別の一実施形態として、無線通信システムにおいて、第１の時間長さのＴＴＩ（Ｔｒａｎｓｍｉｓｓｉｏｎ  Ｔｉｍｅ  Ｉｎｔｅｒｖａｌ）が適用され、上りリンク信号を送信する端末であって、前記端末は、送信部と、受信部と、前記送信部及び受信部と連結され動作するプロセッサーを含み、前記プロセッサーは、第１の時間区間の間に基地局から第２の時間区間の間の上りリンク信号送信をスケジュールする上りリンクグラントを受信し、前記基地局から前記第２の時間区間のうち一部のシンボルに関する情報を受信し、前記第２の時間区間の間に前記第１の時間長さのＴＴＩに基づいて決定された構造によって、互いに異なるシンボルで復調参照信号（ＤＭ−ＲＳ）、物理上りリンク制御チャンネル（ＰＵＣＣＨ）及び物理上りリンク共有チャンネル（ＰＵＳＣＨ）のうち１つ以上を送信して、前記第１の時間長さのＴＴＩに基づいて決定された構造のうち前記受信された情報が指示する１つ以上のシンボルの各々に対してパンクチャリング（ｐｕｎｃｔｕｒｉｎｇ）又はレートマッチング（ｒａｔｅ−ｍａｔｃｈｉｎｇ）を実行、又は前記第１の時間長さのＴＴＩに基づいて決定された構造の代わりにＤＭ−ＲＳを送信するように構成される、端末を提案する。
【００１２】
ここで、前記第２の時間区間のうち一部のシンボルに関する情報は、前記第１の時間区間の間に送信されてもよい。
【００１３】
また、前記第２の時間区間のうち一部のシンボルに関する情報は、前記第１の時間区間と前記第２の時間区間との間に位置する第３の時間区間の間に送信されてもよい。
【００１４】
この場合、前記端末が、前記第１の時間長さのＴＴＩに基づいて決定された構造のうち、前記受信された情報が指示するシンボルのうち１つ以上のシンボルに対してパンクチャリング又はレートマッチングを行う場合、前記端末がパンクチャリング又はレートマッチングを行うか否かは、前記第２の時間区間と第３の時間区間との時間差に基づいて決定されてもよい。
【００１５】
また、前記第１の時間長さは、１つの時間区間の長さと同一に設定されてもよい。一例として、前記１つの時間区間の長さは、システム上の１つのスロット（ｓｌｏｔ）区間の長さと同一に設定されてもよい。
【００１６】
また、前記第１の時間長さのＴＴＩに基づいて決定された構造は、前記１つの時間区間のうち第１番目のシンボルから送信されるＤＭ−ＲＳと、前記１つの時間区間のうち第２番目乃至第１３番目のシンボルから送信されるＰＵＳＣＨと、前記１つの時間区間のうち第１４番目のシンボルから送信されるＰＵＣＣＨを含んでもよい。
【００１７】
また、前記第１の時間長さのＴＴＩに基づいて決定された構造は、前記１つの時間区間内の時間方向によって、１つ以上のシンボルから送信される物理下りリンク制御チャンネル（ＰＤＣＣＨ）と、１つ以上のシンボルに形成されるギャップ（ｇａｐ）と、１つ以上のシンボルから送信されるＰＵＳＣＨ；および１つ以上のシンボルから送信されるＰＵＣＣＨとを含んでもよい。
【００１８】
また、前記第２の時間区間のうち一部のシンボルに関する情報は、上りリンク信号を空ける（ｅｍｐｔｙ）シンボルの位置と、前記上りリンク信号を空ける動作としてパンクチャリング又はレートマッチングを行うか否かと、さらにＤＭ−ＲＳを送信するシンボルの位置と、さらに送信されるＤＭ−ＲＳのシーケンス情報のうち１つ以上を含んでもよい。
【００１９】
このとき、前記第２の時間区間のうち一部のシンボルに関する情報の一部は、上位層シグナリングで送信されてもよい。
【００２０】
本発明の別の実施形態として、上述した端末の構成に対応する基地局の構成を説明する。このとき、第１の端末は、上述した端末の構成に対応する。具体的に、本発明の別の実施形態として、無線通信システムにおいて、基地局が第１の時間長さのＴＴＩ（Ｔｒａｎｓｍｉｓｓｉｏｎ  Ｔｉｍｅ  Ｉｎｔｅｒｖａｌ）が適用された第１の端末と第２の時間長さのＴＴＩが適用された第２の端末とが共存する時間区間の間に前記第１の端末から上りリンク信号を受信する方法であって、第１の時間区間の間に前記第１の端末に第２の時間区間の間の上りリンク信号送信をスケジュールする上りリンクグラントを送信し、前記第２の時間区間の間に前記第１の端末と第２の端末とが共存する場合、前記第２の時間区間のうち一部のシンボルに関する情報を前記第１の端末に送信し、前記第２の時間区間の間に前記第１の時間長さのＴＴＩに基づいて決定された構造によって、互いに異なるシンボルで復調参照信号（ＤＭ−ＲＳ）、物理上りリンク制御チャンネル（ＰＵＣＣＨ）及び物理上りリンク共有チャンネル（ＰＵＳＣＨ）のうち１つ以上を前記第１の端末から受信して、前記第２の時間区間のうち１つ以上のシンボルの各々に対しては、前記第１の端末でパンクチャリング又はレートマッチングが行われた上りリンク信号又はＤＭ−ＲＳを受信することを含む、上りリンク信号受信方法を説明する。
【００２１】
本発明の別の実施形態として、無線通信システムにおいて、第１の時間長さのＴＴＩ（Ｔｒａｎｓｍｉｓｓｉｏｎ  Ｔｉｍｅ  Ｉｎｔｅｒｖａｌ）が適用された第１の端末と第２の時間長さのＴＴＩが適用された第２の端末とが共存する時間区間の間に前記第１の端末から上りリンク信号を受信する基地局であって、前記基地局は、送信部と、受信部と、前記送信部及び受信部と連結され動作するプロセッサーを含み、前記プロセッサーは、第１の時間区間の間に前記第１の端末に第２の時間区間の間の上りリンク信号送信をスケジュールする上りリンクグラントを送信し、前記第２の時間区間の間に前記第１の端末と第２の端末とが共存する場合、前記第２の時間区間のうち一部のシンボルに関する情報を前記第１の端末に送信し、前記第２の時間区間の間に前記第１の時間長さのＴＴＩに基づいて決定された構造によって、互いに異なるシンボルで復調参照信号（ＤＭ−ＲＳ）、物理上りリンク制御チャンネル（ＰＵＣＣＨ）及び物理上りリンク共有チャンネル（ＰＵＳＣＨ）のうち１つ以上を前記第１の端末から受信して、前記第２の時間区間のうち１つ以上のシンボルの各々に対しては、前記第１の端末からパンクチャリング又はレートマッチングが行われた上りリンク信号又はＤＭ−ＲＳを受信するように構成される、基地局を説明する。
【００２２】
上述した本発明の様態は、本発明の好適な実施例の一部に過ぎず、本願発明の技術的特徴が反映された様々な実施例が、当該技術の分野における通常的な知識を有する者にとって、以下に詳述する本発明の詳細な説明に基づいて導出され理解され得るだろう。
【発明の効果】
【００２３】
本発明の実施例によれば、次のような効果がある。
【００２４】
本発明によれば、新たに提案される無線通信システムにおいて、互いに異なるＴＴＩが適用された端末が共存して、同一のリソースを用いて上りリンク信号を送信することができる。
【００２５】
また、本発明によれば、互いに異なるＴＴＩが適用された端末が共存して、同一のリソースを用いて下りリンク信号を受信することもできる。
【００２６】
本発明の実施例から得られる効果は、以上で言及した効果に限定されず、言及していない別の効果は、以下の本発明の実施例に関する記載から、本発明の属する技術の分野における通常の知識を有する者に明確に導出され理解されるであろう。すなわち、本発明を実施することに伴う意図していない効果も、本発明の実施例から当該技術の分野における通常の知識を有する者によって導出され得る。
【図面の簡単な説明】
【００２７】
以下に添付する図面は、本発明に関する理解を助けるためのものであり、詳細な説明と共に本発明に関する実施例を提供する。ただし、本発明の技術的特徴が特定の図面に限定されるものではなく、各図面で開示する特徴が互いに組み合わせられて新しい実施例として構成されてもよい。各図面における参照番号（ｒｅｆｅｒｅｎｃｅ  ｎｕｍｅｒａｌｓ）は構造的構成要素（ｓｔｒｕｃｔｕｒａｌ  ｅｌｅｍｅｎｔｓ）を意味する。
【図１】物理チャネル及びそれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】本発明に適用可能なセルフサブフレームの構造（Ｓｅｌｆ−Ｃｏｎｔａｉｎｅｄ  ｓｕｂｆｒａｍｅ  ｓｔｒｕｃｔｕｒｅ）を示す図である。
【図７】ＴＸＲＵとアンテナ要素（ｅｌｅｍｅｎｔ）の代表的な連結方式を示す図である。
【図８】ＴＸＲＵとアンテナ要素（ｅｌｅｍｅｎｔ）の代表的な連結方式を示す図である。
【図９】連続する時間区間（ｔｉｍｅ  ｉｎｔｅｒｖａｌ）の間にＴＴＩ（Ｔｒａｎｓｍｉｓｓｉｏｎ  Ｔｉｍｅ  Ｉｎｔｅｒｖａｌ）が異ならせて設定されたＵＥの信号送信方法を示す図である。
【図１０】様々なＴＴＩサイズを有するＵＥが共存する場合、下りリンク制御信号及びデータ信号を送受信する方法を示す図である。
【図１１】本発明に適用可能なＳＣＨ（Ｓｈａｒｅｄ  Ｃｈａｎｎｅｌ）のリソースマッピング方法を示す図である。
【図１２】本発明に適用可能なＳＣＨ（Ｓｈａｒｅｄ  Ｃｈａｎｎｅｌ）のリソースマッピング方法を示す図である。
【図１３】連続する時間区間の間にＴＴＩが異ならせて設定されたＵＥの信号送信方法を示す図である。
【図１４】本発明の一例によって、ＵＥがＬｏｎｇ  ＰＵＣＣＨ及びＰＵＳＣＨを送信する動作を示す図である。
【図１５】１つのＤＣＩを通じて複数のＴＴＩをスケジュールする場合を示す図である。
【図１６】１つのＤＣＩを通じて複数のスロット（又は、ＴＴＩ或いはサブフレーム）をスケジュールする動作を示す図である。
【図１７】単一のＴＴＩ内のＴＤＭ（Ｔｉｍｅ  Ｄｉｖｉｓｉｏｎ  Ｍｕｌｔｉｐｌｅｘｉｎｇ）が適用されたＤＬデータ送信方法を示す図である。
【図１８】提案する実施例が具現可能な端末及び基地局の構成を示す図である。
【発明を実施するための形態】
【００２８】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００２９】
図面に関する説明において、本発明の要旨を曖昧にさせ得る手順又は段階などは記述を省略し、当業者のレベルで理解可能な程度の手順又は段階も記述を省略する。
【００３０】
明細書全体を通じて、ある部分がある構成要素を「含む（ｃｏｍｐｒｉｓｉｎｇ又はｉｎｃｌｕｄｉｎｇ）」とされているとき、これは、別に反対の記載がない限り、他の構成要素を除外するものではなく、他の構成要素をさらに含み得ることを意味する。また、明細書でいう「…部」、「…器」、「モジュール」などの用語は、少なくとも１つの機能や動作を処理する単位を意味し、これは、ハードウェア、ソフトウェア、又はハードウェア及びソフトウェアの結合によって具現することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００３１】
本明細書において本発明の実施例は基地局と移動局との間のデータ送受信関係を中心に説明される。ここで、基地局は、移動局と通信を直接行うネットワークの終端ノード（ｔｅｒｍｉｎａｌ  ｎｏｄｅ）としての意味を有する。本文書において基地局によって行われるとされている特定動作は、場合によっては、基地局の上位ノード（ｕｐｐｅｒ  ｎｏｄｅ）によって行われてもよい。
【００３２】
すなわち、基地局を含む複数のネットワークノード（ｎｅｔｗｏｒｋ  ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ  ｓｔａｔｉｏｎ）、Ｎｏｄｅ  Ｂ、ｅＮｏｄｅ  Ｂ（ｅＮＢ）、ｇＮｏｄｅ  Ｂ（ｇＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に言い換えることができる。
【００３３】
また、本発明の実施例において、端末（Ｔｅｒｍｉｎａｌ）は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に言い換えることができる。
【００３４】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００３５】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも１つに開示されている標準文書によってサポートすることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び  ３ＧＰＰ  ＴＳ  ３６．３３１の文書によってサポートすることができる。すなわち、本発明の実施例のうち、説明していない自明な段階又は部分は、上記文書を参照して説明することができる。また、本文書に開示している用語はいずれも、上記標準文書によって説明することができる。
【００３６】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００３７】
また、本発明の実施例で使われる特定用語は本発明の理解易さのために提供されるものであり、このような特定用語の使用は本発明の技術的思想を逸脱しない範囲で他の形態に変更されてもよい。
【００３８】
例えば、送信機会区間（ＴｘＯＰ：Ｔｒａｎｓｍｉｓｓｉｏｎ  Ｏｐｐｏｒｔｕｎｉｔｙ  Ｐｅｒｉｏｄ）という用語は、送信区間、送信バースト（Ｔｘ  ｂｕｒｓｔ）又はＲＲＰ（Ｒｅｓｅｒｖｅｄ  Ｒｅｓｏｕｒｃｅ  Ｐｅｒｉｏｄ）という用語と同じ意味で使うことができる。また、ＬＢＴ（Ｌｉｓｔｅｎ  Ｂｅｆｏｒｅ  Ｔａｌｋ）過程は、チャネル状態が遊休であるか否かを判断するためのキャリアセンシング過程、ＣＣＡ（Ｃｌｅａｒ  Ｃｈａｎｎｅｌ  Ａｃｃｅｓｓｍｅｎｔ）、チャネル接続過程（ＣＡＰ：Ｃｈａｎｎｅｌ  Ａｃｃｅｓｓ  Ｐｒｏｃｅｄｕｒｅ）と同じ目的で行うことができる。
【００３９】
以下では、本発明の実施例を利用可能な無線接続システムの一例として３ＧＰＰ  ＬＴＥ／ＬＴＥ−Ａシステムについて説明する。
【００４０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００４１】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。
【００４２】
ＵＴＲＡはＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）はＥ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）システムは３ＧＰＰ  ＬＴＥシステムを改良したシステムである。本発明の技術的特徴に関する説明を明確にするために、本発明の実施例は３ＧＰＰ  ＬＴＥ／ＬＴＥ−Ａシステムを中心に述べられるが、ＩＥＥＥ  ８０２．１６ｅ／ｍシステムなどに適用されてもよい。
【００４３】
１．３ＧＰＰ  ＬＴＥ／ＬＴＥ  Ａ  システム
【００４４】
無線接続システムにおいて端末は下りリンク（ＤＬ：Ｄｏｗｎｌｉｎｋ）で基地局から情報を受信し、上りリンク（ＵＬ：Ｕｐｌｉｎｋ）で基地局に情報を送信する。基地局と端末とが送受信する情報は一般データ情報及び種々の制御情報を含み、基地局と端末とが送受信する情報の種類／用途によって様々な物理チャネルが存在する。
【００４５】
図１は、本発明の実施例で使用可能な物理チャネル及びそれらを用いた信号送信方法を説明するための図である。
【００４６】
電源が消えた状態で電源がついたり、新しくセルに進入したりした端末は、Ｓ１１段階で、基地局と同期を取るなどの初期セル探索（Ｉｎｉｔｉａｌ  ｃｅｌｌ  ｓｅａｒｃｈ）作業を行う。そのために、端末は基地局からプライマリ同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及びセカンダリ同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００４７】
その後、端末は基地局から物理放送チャネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。
【００４８】
一方、端末は初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【００４９】
初期セル探索を終えた端末は、Ｓ１２段階で、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャネル情報に対応する物理下りリンク共有チャネル（ＰＤＳＣＨ：Ｐｈｙｓｉｃａｌ  Ｄｏｗｎｌｉｎｋ  Ｃｏｎｔｒｏｌ  Ｃｈａｎｎｅｌ）を受信して、より具体的なシステム情報を取得することができる。
【００５０】
その後、端末は基地局への接続を完了するために、段階Ｓ１３〜段階Ｓ１６のようなランダムアクセス過程（Ｒａｎｄｏｍ  Ａｃｃｅｓｓ  Ｐｒｏｃｅｄｕｒｅ）を行うことができる。そのために、端末は物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）でプリアンブル（ｐｒｅａｍｂｌｅ）を送信し（Ｓ１３）、物理下りリンク制御チャネル及びそれに対応する物理下りリンク共有チャネルでプリアンブルに対する応答メッセージを受信することができる（Ｓ１４）。競合ベースのランダムアクセスでは、端末は、更なる物理ランダムアクセスチャネル信号の送信（Ｓ１５）、及び物理下りリンク制御チャネル信号及びそれに対応する物理下りリンク共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５１】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００５２】
端末が基地局に送信する制御情報を総称して上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００５３】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００５４】
図２は、本発明の実施例で用いられる無線フレームの構造を示す図である。
【００５５】
図２（ａ）にはタイプ１フレーム構造（ｆｒａｍｅ  ｓｔｒｕｃｔｕｒｅ  ｔｙｐｅ１）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムにも半二重（ｈａｌｆ  ｄｕｐｌｅｘ）ＦＤＤシステムにも適用可能である。
【００５６】
１無線フレーム（ｒａｄｉｏ  ｆｒａｍｅ）はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２個の連続したスロットで定義され、ｉ番目のサブフレームは、２ｉと２ｉ＋１に該当するスロットで構成される。すなわち、無線フレーム（ｒａｄｉｏ  ｆｒａｍｅ）は１０個のサブフレーム（ｓｕｂｆｒａｍｅ）で構成される。１サブフレームを送信するためにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは時間領域において複数のＯＦＤＭシンボル又はＳＣ−ＦＤＭＡシンボルを含み、周波数領域において複数のリソースブロック（Ｒｅｓｏｕｒｃｅ  Ｂｌｏｃｋ）を含む。
【００５７】
１スロットは時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは下りリンクにおいてＯＦＤＭＡを用いるので、ＯＦＤＭシンボルは１シンボル区間（ｓｙｍｂｏｌ  ｐｅｒｉｏｄ）を表現するためのものである。ＯＦＤＭシンボルは１つのＳＣ−ＦＤＭＡシンボル又はシンボル区間ということができる。リソースブロック（ｒｅｓｏｕｒｃｅ  ｂｌｏｃｋ）はリソース割り当て単位であり、１つのスロットで複数の連続した副搬送波（ｓｕｂｃａｒｒｉｅｒ）を含む。
【００５８】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００５９】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００６０】
図２（ｂ）にはタイプ２フレーム構造（ｆｒａｍｅ  ｓｔｒｕｃｔｕｒｅ  ｔｙｐｅ２）を示す。タイプ２フレーム構造はＴＤＤシステムに適用される。１無線フレーム（ｒａｄｉｏ  ｆｒａｍｅ）はＴｆ＝３０７２００＊Ｔｓ＝１０ｍｓの長さを有し、１５３６００＊Ｔｓ＝５ｍｓの長さを有する２個のハーフフレーム（ｈａｌｆ−ｆｒａｍｅ）で構成される。各ハーフフレームは３０７２０＊Ｔｓ＝１ｍｓの長さを有する５個のサブフレームで構成される。ｉ番目のサブフレームは２ｉと２ｉ＋１に該当する各Ｔｓｌｏｔ＝１５３６０＊Ｔｓ＝０．５ｍｓの長さを有する２個のスロットで構成される。ここで、Ｔｓはサンプリング時間を表し、Ｔｓ＝１／（１５ｋＨｚ×２０４８）＝３．２５５２×１０−８（約３３ｎｓ）と表示される。
【００６１】
タイプ２フレームにはＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末における初期セル探索、同期化又はチャネル推定に用いられる。ＵｐＰＴＳは、基地局におけるチャネル推定と端末との上り送信同期化に用いられる。保護区間は、上りリンクと下りリンクとの間に下りリンク信号の多重経路遅延によって上りリンクに生じる干渉を除去するための区間である。
【００６２】
次の表１は、特別フレームの構成（ＤｗＰＴＳ／ＧＰ／ＵｐＰＴＳの長さ）を表す。
【００６３】
【表１】
2019526196.tif 000003
【００６４】
図３は、本発明の実施例で利用可能な下りリンクスロットに対するリソースグリッド（ｒｅｓｏｕｒｃｅ  ｇｒｉｄ）を例示する図である。
【００６５】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００６６】
リソースグリッド上で各要素（ｅｌｅｍｅｎｔ）をリソース要素（ｒｅｓｏｕｒｃｅ  ｅｌｅｍｅｎｔ）といい、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に従属する。上りリンクスロット構造は、下りリンクスロットの構造と同様であってもよい。
【００６７】
図４は、本発明の実施例で利用可能な上りリンクサブフレームの構造を示す。
【００６８】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２つのスロットのそれぞれにおいて異なる副搬送波を占める。このようなＰＵＣＣＨに割り当てられたＲＢ対は、スロット境界（ｓｌｏｔ  ｂｏｕｎｄａｒｙ）で周波数跳躍（ｆｒｅｑｕｅｎｃｙ  ｈｏｐｐｉｎｇ）する、という。
【００６９】
図５は、本発明の実施例で利用可能な下りリンクサブフレームの構造を示す図である。
【００７０】
図５を参照すると、サブフレームにおける第１番目のスロットにおいてＯＦＤＭシンボルインデックス０から最大で３つまでのＯＦＤＭシンボルが、制御チャネルが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。３ＧＰＰ  ＬＴＥで用いられる下りリンク制御チャネルの例に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７１】
ＰＣＦＩＣＨはサブフレームの第１番目のＯＦＤＭシンボルで送信され、サブフレームにおいて制御チャネルの送信のために用いられるＯＦＤＭシンボルの数（すなわち、制御領域のサイズ）に関する情報を搬送する。ＰＨＩＣＨは、上りリンクに対する応答チャネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を搬送する。ＰＤＣＣＨで送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割り当て情報、下りリンクリソース割り当て情報、又は任意の端末グループに対する上りリンク送信（Ｔｘ）電力制御命令を含む。
【００７２】
２．新たな無線接続技術（Ｎｅｗ  Ｒａｄｉｏ  Ａｃｃｅｓｓ  Ｔｅｃｈｎｏｌｏｇｙ）システム
【００７３】
より多い通信機器がより大きい通信容量を要求するにつれて、従来の無線接続技術（ｒａｄｉｏ  ａｃｃｅｓｓ  ｔｅｃｈｎｏｌｏｇｙ，ＲＡＴ）に比べて向上した端末広帯域（ｍｏｂｉｌｅ  ｂｒｏａｄｂａｎｄ）通信の必要性が高まっている。また、複数の機器及びモノを連結していつでもどこでも様々なサービスを提供する大規模（ｍａｓｓｉｖｅ）ＭＴＣ（Ｍａｃｈｉｎｅ  Ｔｙｐｅ  Ｃｏｍｍｕｎｉｃａｔｉｏｎｓ）が考慮されている。のみならず、信頼性（ｒｅｌｉａｂｉｌｉｔｙ）及び遅延（ｌａｔｅｎｃｙ）に敏感なサービス／ＵＥを考慮した通信システムデザインも論議されている。
【００７４】
このように、向上した端末広帯域通信（ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した新たな無線接続技術の導入が論議されつつあり、本発明では、便宜のために、当該技術をＮｅｗ  ＲＡＴ又はＮＲ（Ｎｅｗ  Ｒａｄｉｏ）と称する。
【００７５】
２．１．セルフサブフレーム構造（Ｓｅｌｆ−ｃｏｎｔａｉｎｅｄ  ｓｕｂｆｒａｍｅ  ｓｔｒｕｃｔｕｒｅ）
【００７６】
図６は、本発明に適用可能なセルフサブフレーム構造（Ｓｅｌｆ−ｃｏｎｔａｉｎｅｄ  ｓｕｂｆｒａｍｅ  ｓｔｒｕｃｔｕｒｅ）を示す図である。
【００７７】
本発明が適用可能なＮＲシステムでは、ＴＤＤシステムにおいてデータ送信遅延を最小化するために、図６のようなセルフサブフレーム構造を説明する。
【００７８】
図６において、斜線領域（例えば、ｓｙｍｂｏｌ  ｉｎｄｅｘ＝０）は、下りリンク  制御（ｄｏｗｎｌｉｎｋ  ｃｏｎｔｒｏｌ）領域を示し、黒塗り領域（例えば、ｓｙｍｂｏｌ  ｉｎｄｅｘ＝１３）は、上りリンク制御（ｕｐｌｉｎｋ  ｃｏｎｔｒｏｌ）領域を示す。その他の領域（例えば、ｓｙｍｂｏｌ  ｉｎｄｅｘ＝１〜１２）は、下りリンクデータ送信のために用いられてもよく、上りリンクデータ送信のために用いられてもよい。
【００７９】
このような構造の特徴は、１つのサブフレームにおいてＤＬ送信とＵＬ送信を順次に行うことができ、１つのサブフレームにおいてＤＬデータを送受信して、これに対するＵＬ  ＡＣＫ／ＮＡＣＫも送受信することができる。結果として、かかる構造は、データ送信エラー発生時にデータの再送信までかかる時間を減らし、これによって最終データ伝達の遅延を最小化することができる。
【００８０】
このように、セルフサブフレーム（ｓｅｌｆ−ｃｏｎｔａｉｎｅｄ  ｓｕｂｆｒａｍｅ）構造において、基地局とＵＥが送信モードから受信モードに切り替えられ、又は受信モードから送信モードに切り替えられるためには、所定時間長さのタイムギャップ（ｔｉｍｅ  ｇａｐ）が必要である。そのために、セルフサブフレーム構造において、ＤＬからＵＬに切り替えられる時点の一部のＯＦＤＭシンボルは、ガード区間（ｇｕａｒｄ  ｐｅｒｉｏｄ，ＧＰ）として設定されてもよい。
【００８１】
上述では、セルフサブフレーム（ｓｅｌｆ−ｃｏｎｔａｉｎｅｄ  ｓｕｂｆｒａｍｅ）構造がＤＬ制御領域及びＵＬ制御領域を両方含む場合を説明したが、制御領域はセルフサブフレーム構造に選択的に含まれてもよい。換言すれば、本発明によるセルフサブフレーム構造は、図１３のように、ＤＬ制御領域及びＵＬ制御領域を両方含む場合に限られず、ＤＬ制御領域又はＵＬ制御領域のみを含む場合であってもよい。
【００８２】
また、説明の便宜のために、上述したようなフレーム構造をサブフレームと総称したが、当該構成は、フレーム又はスロットなどと称されてもよい。一例として、ＮＲシステムでは、複数のシンボルからなる１つの単位をスロットと称してもよく、以下の説明では、サブフレーム又はフレームは、上述したスロットに振り替えてもよい。
【００８３】
２．２．ＯＦＤＭ数秘術（ｎｕｍｅｒｏｌｏｇｙ）
【００８４】
ＮＲシステムは、ＯＦＤＭ送信方式又はこれと類似した送信方式を用いる。代表的に、ＮＲシステムは、表２のようなＯＦＤＭ数秘術を有する。
【００８５】
【表２】
2019526196.tif 000004
【００８６】
また、ＮＲシステムは、ＯＦＤＭ送信方式又はこれと類似した送信方式を用いて、表３のような多数のＯＦＤＭ数秘術から選ばれたＯＦＤＭ数秘術を用いることができる。具体的には、表３に示すように、ＮＲシステムは、ＬＴＥシステムで用いられる１５ｋＨｚ副搬送波スペーシング（ｓｕｂｃａｒｒｉｅｒ−ｓｐａｃｉｎｇ）をベースとして、上述の１５ｋＨｚ副搬送波スペーシングの倍数の関係にある３０、６０、１２０ｋＨｚの副搬送波スペーシングを有するＯＦＤＭ数秘術を用いることができる。
【００８７】
このとき、表３に示す循環前置（Ｃｙｃｌｉｃ  ｐｒｅｆｉｘ）、システム帯域幅（Ｓｙｓｔｅｍ  ＢＷ）、利用可能な副搬送波（ａｖａｉｌａｂｌｅ  ｓｕｂｃａｒｒｉｅｒｓ）の数は、本発明によるＮＲシステムに適用可能な一例に過ぎず、具現方式によって上述した値は変更されてもよい。代表的に、６０ｋＨｚの副搬送波スペーシングの場合、システム帯域幅は１００ＭＨｚと設定されてもよく、この場合、利用可能な副搬送波の数は１５００超え１６６６未満の値であってもよい。また、表４に示すサブフレームの長さ（Ｓｕｂｆｒａｍｅ  ｌｅｎｇｔｈ）及びサブフレーム当たりＯＦＤＭシンボルの数も本発明によるＮＲシステムに適用可能な一例に過ぎず、具現方式によって上述した値は変更されてもよい。
【００８８】
【表３】
2019526196.tif 000005
【００８９】
２．３．アナログビーム形成（Ａｎａｌｏｇ  Ｂｅａｍｆｏｒｍｉｎｇ）
【００９０】
ミリ波（Ｍｉｌｌｉｍｅｔｅｒ  Ｗａｖｅ、ｍｍＷ）では波長が短いので、同一面積に多数のアンテナ要素（ｅｌｅｍｅｎｔ）の設置が可能である。即ち、３０ＧＨｚ帯域において波長は１ｃｍであるので、５＊５ｃｍのパネルに０．５ｌａｍｂｄａ（波長）間隔で２次元（２−ｄｉｍｅｎｓｉｏｎ）配列する場合、総１００個のアンテナ要素を設けることができる。これにより、ミリ波（ｍｍＷ）では多数のアンテナ要素を使用してビーム形成（ｂｅａｍｆｏｒｍｉｎｇ、ＢＦ）利得を上げてカバレッジを増加させるか、或いはスループット（ｔｈｒｏｕｇｈｐｕｔ）を向上させることができる。
【００９１】
この時、アンテナ要素毎に送信パワー及び位相の調節ができるように、各々のアンテナ要素はＴＸＲＵ（ｔｒａｎｓｃｅｉｖｅｒ）を含む。これにより、各々のアンテナ要素は周波数リソース毎に独立的なビーム形成を行うことができる。
【００９２】
しかし、１００余個の全てのアンテナ要素にＴＸＲＵを設けることは費用面で実効性が乏しい。従って、１つのＴＸＲＵに多数のアンテナ要素をマッピングし、アナログ位相シフター（ａｎａｌｏｇ  ｐｈａｓｅ  ｓｈｉｆｔｅｒ）でビーム方向を調節する方式が考えられている。かかるアナログビーム形成方式では全帯域において１つのビーム方向のみを形成できるので、周波数選択的なビーム形成が難しいというデメリットがある。
【００９３】
これを解決するために、デジタルビーム形成及びアナログビーム形成の中間形態として、Ｑ個のアンテナ要素より少ない数のＢ個のＴＸＲＵを有するハイブリッドビーム形成（ｈｙｂｒｉｄ  ＢＦ）が考えられる。この場合、Ｂ個のＴＸＲＵとＱ個のアンテナ要素の連結方式によって差はあるが、同時に送信可能なビームの方向はＢ個以下に制限される。
【００９４】
図７及び図８は、ＴＸＲＵとアンテナ要素（ｅｌｅｍｅｎｔ）の代表的な連結方式を示す図である。ここで、ＴＸＲＵ仮想化（ｖｉｒｔｕａｌｉｚａｔｉｏｎ）モデルは、ＴＸＲＵの出力信号とアンテナ要素の出力信号との関係を示す。
【００９５】
図７はＴＸＲＵがサブアレイ（ｓｕｂ−ａｒｒａｙ）に連結された方式を示している。図７の場合、アンテナ要素は１つのＴＸＲＵのみに連結される。
【００９６】
反面、図８はＴＸＲＵが全てのアンテナ要素に連結された方式を示している。図８の場合、アンテナ要素は全てのＴＸＲＵに連結される。この時、アンテナ要素が全てのＴＸＲＵに連結されるためには、図１５に示したように、別の加算器が必要である。
【００９７】
図７及び図８において、Ｗはアナログ位相シフター（ａｎａｌｏｇ  ｐｈａｓｅ  ｓｈｉｆｔｅｒ）により乗じられる位相ベクトルを示す。即ち、Ｗはアナログビーム形成の方向を決定する主要パラメータである。ここで、ＣＳＩ−ＲＳアンテナポートと複数のＴＸＲＵとのマッピングは１：１又は１：多（１−ｔｏ−ｍａｎｙ）である。
【００９８】
図７の構成によれば、ビーム形成のフォーカシングが難しいというデメリットがあるが、全てのアンテナ構成を低価で構成できるというメリットがある。
【００９９】
図８の構成によれば、ビーム形成のフォーカシングが容易であるというメリットがある。但し、全てのアンテナ要素にＴＸＲＵが連結されるので、全体費用が増加するというデメリットがある。
【０１００】
２．４．ＣＳＩフィードバック
【０１０１】
３ＧＰＰ  ＬＴＥ又はＬＴＥ−Ａシステムでは、ユーザ機器（ＵＥ）がチャンネル状態情報（ＣＳＩ）を基地局（ＢＳ又はｅＮＢ）に報告するように定義される。ここで、チャンネル状態情報（ＣＳＩ）は、ＵＥとアンテナポートとの間に形成される無線チャンネル（又は、リンク）の品質を示す情報を総称する。
【０１０２】
例えば、前記チャンネル状態情報（ＣＳＩ）は、ランク指示子（ｒａｎｋ  ｉｎｄｉｃａｔｏｒ，ＲＩ）、プレコーディング行列指示子（ｐｒｅｃｏｄｉｎｇ  ｍａｔｒｉｘ  ｉｎｄｉｃａｔｏｒ，ＰＭＩ）、チャンネル品質指示子（ｃｈａｎｎｅｌ  ｑｕａｌｉｔｙ  ｉｎｄｉｃａｔｏｒ，ＣＱＩ）などを含む。
【０１０３】
ここで、ＲＩは当該チャンネルのランク（ｒａｎｋ）情報を示し、これはＵＥが同一の時間−周波数リソースを介して受信するストリーム数を意味する。この値は、チャンネルの長期フェーディング（Ｌｏｎｇ  Ｔｅｒｍ  Ｆａｄｉｎｇ）によって従属されて決定される。次いで、通常、ＲＩはＰＭＩ、ＣＱＩより長い周期でＵＥによってＢＳにフィードバックされる。
【０１０４】
ＰＭＩはチャンネル空間特性を反映した値であって、ＳＩＮＲなどのメートル（ｍｅｔｒｉｃ）を基準としてＵＥが選考するプレコーディングインデックスを示す。
【０１０５】
ＣＱＩはチャンネルの強度を示す値であって、通常、ＢＳがＰＭＩを用いるときに得られる受信ＳＩＮＲを意味する。
【０１０６】
３ＧＰＰ  ＬＴＥ又はＬＴＥ−Ａシステムにおいて、基地局は、複数のＣＳＩプロセスをＵＥに設定して、各プロセスに対するＣＳＩをＵＥから報告される。ここで、ＣＳＩプロセスは、基地局からの信号品質の特定のためのＣＳＩ−ＲＳと干渉測定のためのＣＳＩ干渉測定（ＣＳＩ−ｉｎｔｅｒｆｅｒｅｎｃｅ  ｍｅａｓｕｒｅｍｅｎｔ，ＣＳＩ−ＩＭ）リソースで構成する。
【０１０７】
３．実施例
【０１０８】
以下、本発明では、上述した事項に基づいて、様々なイッシュ別にＤＬ／ＵＬ信号を送受信する方法及びそれを支援する方法について説明する。
【０１０９】
３．１．遅延重要度（Ｌａｔｅｎｃｙ  ｉｓｓｕｅ）の異なる複数のデータを送信する方法
【０１１０】
ここでは、ＵＥが遅延（ｌａｔｅｎｃｙ）イッシュの異なるデータ（例えば、ＰＵＳＣＨ）を送信する方法について説明する。
【０１１１】
ＵＥがＵＬ動作を行うとき、遅延（ｌａｔｅｎｃｙ）が重要なデータ（例えば、ＵＲＬＬＣ（Ｕｌｔｒａ−Ｒｅｌｉａｂｌｅ  ａｎｄ  Ｌｏｗ−Ｌａｔｅｎｃｙ）データ）が、相対的に遅延が重要ではないデータ（例えば、ｅＭＢＢ（ｅｎｈａｎｃｅｄ  Ｍｏｂｉｌｅ  Ｂｒｏａｄｂａｎｄ）データ）と同一のセルの同一の周波数リソースで多重化されて送信される場合、この２つのデータの送信リソースが衝突する可能性がある。
【０１１２】
このとき、遅延の重要度が低いデータ（以下、ＰＵＳＣＨ1）は、遅延がより重要なデータ（以下、ＰＵＳＣＨ２）が送信される前に既に送信されていることがある。この場合、ＰＵＳＣＨ1を送信しているＵＥは、ＰＵＳＣＨ２のスケジューリングには関係なく、持続にＰＵＳＣＨ1を送信して、このＰＵＳＣＨ1は相対的に遅延の重要度の低いＰＵＳＣＨ２の送信に大きい干渉（ｉｎｔｅｒｆｅｒｅｎｃｅ）として作用する。よって、ＰＵＳＣＨ２を成功裏に送信するために、ＰＵＳＣＨ２がＰＵＳＣＨ１に及ぼす影響を減らす方案が求められる。ここで、本発明では、ＰＵＳＣＨ２を成功裏に送信するために、以下のようなデータ送信方法を提案する。
【０１１３】
３.１．１．第１の方案（ＰＵＳＣＨ送信の中止）
【０１１４】
ＰＵＳＣＨ２を成功裏にな送信するために、ＰＵＳＣＨ１とＰＵＳＣＨ２との送信リソースが重なる場合、ＵＥは以下のような方法によってＰＵＳＣＨ１の送信を中止することができる。
【０１１５】
（１）ＵＥにＰＵＳＣＨ送信を中止するか否かを指示する新たな下りリンクチャンネルが導入される。以下では、説明の便宜のために、上述した新たな下りリンクチャンネルをＰＵＳＣＨ＿Ｄｒｏｐチャンネルと称する。
【０１１６】
具体的に、ＰＵＳＣＨ＿Ｄｒｏｐチャンネルは、サブフレーム、ＴＴＩ、又はデータが送信されるＯＦＤＭシンボル領域内に１つ又は複数存在してもよく、それぞれ異なる時間領域（例えば、ＯＦＤＭシンボル）に位置してもよい。
【０１１７】
ＵＥは、上述のようなＰＵＳＣＨ＿Ｄｒｏｐチャンネルを受信するとき、少なくとも１つのＰＵＳＣＨ＿ＤｒｏｐチャンネルでＰＵＳＣＨの送信中止を指示する場合、直ちにＰＵＳＣＨの送信を中止することができる。このとき、ＵＥは当該ＰＵＳＣＨが送信されているサブフレーム、ＴＴＩ、又はＯＦＤＭシンボル領域内でＰＵＳＣＨの送信を中止した後に送信されるＰＵＳＣＨ＿Ｄｒｏｐチャンネルを受信する必要がない。
【０１１８】
このとき、ＰＵＳＣＨ＿Ｄｒｏｐチャンネルを介して送信されるＰＵＳＣＨの送信中止は、以下のいずれか１つの方法によって送信されることができる。
【０１１９】
１）１ビットサイズのデータが当該チャンネルで送信される
【０１２０】
２）１ビットサイズの情報の値によって当該チャンネルを構成するシーケンスが異なる
【０１２１】
（２）基地局は特定の下りリンク参照信号（Ｒｅｆｅｒｅｎｃｅ  Ｓｉｇｎａｌ、以下「ＲＳ」）のシーケンス又はスクランブリングシーケンスを異ならせることで、ＰＵＳＣＨ送信を中止するか否かをＵＥに指示することができる。
【０１２２】
例えば、スクランブリングシーケンスＡとＢが存在するとき、ＲＳにスクランブリングシーケンスＡが適用されると、ＰＵＳＣＨ送信がドロップ（ｄｒｏｐ）されないことを意味して、ＲＳにスクランブリングシーケンスＢが適用されると、ＰＵＳＣＨ送信がドロップ（ｄｒｏｐ）されることを意味する。
【０１２３】
このようなＲＳは、サブフレーム、ＴＴＩ、又はデータが送信されるＯＦＤＭシンボル領域内に１つ又は複数存在してもよい。特に、互いに異なる時間領域（例えば、ＯＦＤＭシンボル）に位置するＲＳ間には独立したスクランブリングシーケンスが適用される。このとき、ＵＥは、異なる各時間領域（例えば、ＯＦＤＭシンボル）でＲＳを受信する途中で、少なくとも１つの時間領域（例えば、ＯＦＤＭシンボル）で送信されるＲＳに適用されたスクランブリングシーケンスがＰＵＳＣＨ送信のドロップ（ｄｒｏｐ）を意味する場合、直ちにＰＵＳＣＨの送信を中止することができる。
【０１２４】
第１の方案において、上述したｅＮｏｄｅＢ指示（ｉｎｄｉｃａｔｉｏｎ）又は設定（ｃｏｎｆｉｇｕｒａｔｉｏｎ）（例えば、ＰＵＳＣＨの送信中止）は、データが送信されるセル／搬送波を介して送信されてもよい。また、ＣＡ／ＤＣ（Ｄｕａｌ  Ｃｏｎｎｅｃｔｉｖｉｔｙ）環境を考慮して、ｅＮｏｄｅＢ指示／設定は、ＰＣｅｌｌ又はｅＮｏｄｅＢによって定められたセル／搬送波を介して送信されてもよい。このとき、具体的に、このセルはＵＥがデータを送信するサブフレーム／時間区間（ｔｉｍｅ  ｄｕｒａｔｉｏｎ）の間に下りリンクを送信する特定のセル／搬送波に制限されてもよい。また、ｅＮｏｄｅＢ指示／設定は、データを受信するサブフレームにおいて下りリンクを送信する特定のセル／副搬送波のうち任意のセル ／搬送波によって設定されてもよい。
【０１２５】
３．１．２．第２の方案（ＰＵＳＣＨのパンクチャリング（ｐｕｎｃｔｕｒｉｎｇ）実行及びＯＦＤＭシンボル又はＯＦＤＭシンボルグループの位置指示）
【０１２６】
ＰＵＳＣＨ２を成功裏に送信するために、ＰＵＳＣＨ１とＰＵＳＣＨ２との送信リソースが重なる（ｏｖｅｒｌａｐ）場合、ＵＥは、重なるＯＦＤＭシンボルリソースでＰＵＳＣＨ1の送信をパンクチャリングしてもよい。そのために、基地局（例えば、ｅＮＢ）は、各ＯＦＤＭシンボル又はＯＦＤＭシンボルグループ毎に、当該ＯＦＤＭシンボル又はＯＦＤＭシンボルグループ（及び／又は次のＯＦＤＭシンボル（又は、次のＯＦＤＭシンボルグループ））においてデータをパンクチャリングするか否かをＵＥに指示することができる。
【０１２７】
（１）新たな下りリンクチャンネルが導入されて、基地局は当該チャンネルを介してＵＥにＰＵＳＣＨの送信を中止するか否かを指示することができる。
【０１２８】
具体的に、このチャンネルは、各ＯＦＤＭシンボル又はＯＦＤＭシンボルグループ毎に複数存在してもよい。また、基地局は、各チャンネルを介して当該チャンネルが送信されるＯＦＤＭシンボル又はＯＦＤＭシンボルグループ（及び／又は当該チャンネルが送信されるＯＦＤＭシンボル又はＯＦＤＭシンボルグループの次のＯＦＤＭシンボル又はＯＦＤＭシンボルグループ）におけるＰＵＳＣＨパンクチャリングの可否をＵＥに指示することができる。具体的に、この指示は以下のような方式によって送信される。
【０１２９】
１）１ビットサイズのデータが当該チャンネルで送信される。
【０１３０】
２）１ビットサイズの情報の値によって当該チャンネルを構成するシーケンスが異なる
【０１３１】
（２）基地局はＲＳのシーケンス又はスクランブリングシーケンスを異ならせることで、特定のＯＦＤＭシンボル又はＯＦＤＭシンボルグループにおいてＰＵＳＣＨを送信するか否か（ＰＵＳＣＨのパンクチャリングの可否）をＵＥに指示することができる。このとき、この特定のＯＦＤＭシンボル又はＯＦＤＭシンボルグループは、当該ＲＳが送信されるＯＦＤＭシンボル又はＯＦＤＭシンボルグループ（及び／又は当該ＲＳが送信される  ＯＦＤＭシンボル又はＯＦＤＭシンボルグループの次のＯＦＤＭシンボル又はＯＦＤＭシンボルグループ）を意味してもよい。一例として、スクランブリングシーケンスＡとＢが存在するとき、ＲＳにスクランブリングシーケンスＡが適用されることは、ＲＳが送信されるＯＦＤＭシンボル又はＯＦＤＭシンボルグループでＰＵＳＣＨを送信することを意味して、ＲＳにスクランブリングシーケンスＢが適用されることは、ＲＳが送信されるＯＦＤＭシンボル又はＯＦＤＭシンボルグループでＰＵＳＣＨをパンクチャリングすることを意味することができる。
【０１３２】
第２の方案において、上述したｅＮｏｄｅＢ指示／設定（例えば、ＰＵＳＣＨのパンクチャリング）は、データが送信されるセル／搬送波によって送信される。また、ＣＡ／ＤＣ環境を考慮して、ｅＮｏｄｅＢ指示／設定は、ＰＣｅｌｌ又はｅＮｏｄｅＢによって定められたセル／搬送波によって送信される。このとき、具体的に、このセルはＵＥがデータを送信するサブフレーム／時間区間（ｔｉｍｅ  ｄｕｒａｔｉｏｎ）の間に下りリンクを送信する特定のセル／搬送波に制限されてもよい。また、ｅＮｏｄｅＢ指示／設定は、データを受信するサブフレームで下りリンクを送信する特定のセル／搬送波のうち任意のセル／搬送波から設定されてもよい。
【０１３３】
３．１．３．第３の方案（遅延（Ｌａｔｅｎｃｙ）が重要なＰＵＳＣＨを高いパワーで送信）
【０１３４】
ＰＵＳＣＨ２を成功裏に送信するために、ＰＵＳＣＨ２の送信リソースに既に他のＰＵＳＣＨが送信されている場合、ＵＥはＰＵＳＣＨ２の送信電力（又は、パワー）を上げることで、ＰＵＳＣＨ２送信の成功確率を高めることができる。
【０１３５】
（１）このための方法として、短いＴＴＩで送信されるＰＵＳＣＨをスケジュールする場合、ＵＥが前のＰＵＳＣＨ送信パワーには関係なく大きいパワーでＰＵＳＣＨが送信できるように、基地局はＰＵＳＣＨをスケジュールするＤＣＩに対してＰＵＳＣＨパワーの絶対（ａｂｓｏｌｕｔｅ）値を設定することができる。
【０１３６】
また、ＰＵＳＣＨをスケジュールするＤＣＩにおいて、ＰＵＳＣＨパワーを設定するフィールドの特定値は、ＰＵＳＣＨ送信の最大パワー又は特定のパワー値を意味してもよい。また、ＰＵＳＣＨをスケジュールするＤＣＩの他の明示的なフィールド（ｅｘｐｌｉｃｉｔ  ｆｉｅｌｄ）を介してＰＵＳＣＨ送信パワーを最大値又は特定のパワー値に設定してもよい。この規則は、基地局及びＵＥ間に予め約束されているか、又は基地局から伝達されるシグナリングによって設定されてもよい。
【０１３７】
（２）ＵＥはsＴＴＩを介して送信されるＵＲＬＬＣ上りリンクデータに対しては、常に最大パワー又は特定のパワー値で送信することができる。
【０１３８】
（３）ＵＥがＰＵＳＣＨ（特に、sＴＴＩを介して送信されるＵＲＬＬＣ上りリンクデータ）を送信する前に、センシング（ｓｅｎｓｉｎｇ）によって他の信号の送信中であることを検出した場合、前記ＵＥはsＴＴＩを介して送信されるＵＲＬＬＣ上りリンクデータを常に最大パワー又は特定のパワー値で送信することができる。
【０１３９】
第３の方案において、特定のパワー値とは、関連標準（例えば、３ＧＰＰなど）のスペック上に定義されているか、システム情報又はＲＲＣ（Ｒａｄｉｏ  ｒｅｓｏｕｒｃｅ  Ｃｏｎｔｒｏｌ）によってＵＥに設定されるパワー値である。
【０１４０】
３．２．互いに異なるＴＴＩサイズを有するＵＥの信号送受信方法
【０１４１】
従来のＬＴＥシステムにおいて、ＴＴＩ（ｔｒａｎｓｍｉｓｓｉｏｎ  ｔｉｍｅ  ｉｎｔｅｒｖａｌ）は、ＭＡＣ（Ｍｅｄｉｕｍ  Ａｃｃｅｓｓ  Ｃｏｎｔｒｏｌ）層でＭＡＣ  ＰＤＵ（ｐｒｏｔｏｃｏｌ  ｄａｔａ  ｕｎｉｔ）を物理（ＰＨＹ）層に伝達する最小間隔で定義されている。即ち、ＵＥはＴＴＩ間隔でＤＬデータを受信したり、ＵＬデータの送信を指示したりすることができる。ここで、ＵＥは少なくともＴＴＩ毎にＤＬデータ又はＵＬデータに対するスケジューリング情報が含まれたＤＬ制御チャンネルに対する受信を試みる必要がある。
【０１４２】
ＬＴＥシステムリリース１３までＴＴＩは、１サブフレーム（以下、ＳＦ）又は１ｍｓと同一である。ただし、ＬＴＥシステムリリース１４からは１ｍｓより小さい時間領域（例えば、７シンボル又は２シンボルなど）のＴＴＩ導入が論議されている。また、ＮＲシステムにおいても、これと同様に、様々なサイズのＴＴＩが導入される。何故ならば、ＵＥ毎にカバレッジ又はトラフィック量が異なったり、ユーズケース（ｕｓｅ  ｃａｓｅ）毎に（例えば、ｅＭＢＢ又はＵＲＬＬＣなどによって）サービス要件（ｓｅｒｖｉｃｅ  ｒｅｑｕｉｒｅｍｅｎｔ）が異なったりするためである。よって、ここでは、互いに異なるＴＴＩサイズを支援するＵＥの共存を支援するための方法を説明する。
【０１４３】
３．２．１．ＵＬ信号送受信方法
【０１４４】
図９は、連続する時間区間（ｔｉｍｅ  ｉｎｔｅｒｖａｌ、以下「ＴＩ」）の間にＴＴＩが異なるＵＥの信号送信方法を示す図である。
【０１４５】
図９において、１つのＴＩと同一長さのＴＴＩを一般ＴＴＩ（ｎＴＴＩ）、１つのＴＩよりも短い長さのＴＴＩを短いＴＴＩ（ｓＴＴＩ）と定義する。このとき、１つのＴＩは１４シンボルからなる。ＴＩ＃ｎ−ｋ−１（例えば、ｋ＝４、ｋはＵＥ又はユーズケース毎に異なってもよい）のＵＬグラントによって、ＴＩ＃ｎ−１時点のＵＬデータ送信がスケジュールされたｎＴＴＩ  ＵＥは、当該ＴＩ＃ｎ−１において、最初のシンボルではＤＭ−ＲＳ（Ｄｅｍｏｄｕｌａｔｉｏｎ−Ｒｅｆｅｒｅｎｃｅ  Ｓｉｇｎａｌ）を送信して、最後のシンボルではＰＵＣＣＨを送信して、残りのシンボルではＰＵＳＣＨを送信することができる。
【０１４６】
ただし、図９に示す信号送信方法は、本発明に適用可能な１つの例示に過ぎず、１つのＴＩを構成する各々のチャンネル又は信号において手順は異なってもよい。一例として、１つのＴＩはＤＬ制御／ガード区間（Ｇｕａｒｄ  ｐｅｒｉｏｄ）／ＵＬデータ／ＵＬ制御などの手順で構成されてもよい。
【０１４７】
同様に、ＴＩ＃ｎ−ｋのＵＬグラントによって、ＴＩ＃ｎ時点のＵＬデータ送信をスケジュールされたｎＴＴＩ  ＵＥは、当該ＴＩ＃ｎにおいてＴＩ＃ｎ−１と同様な方法によってＤＭ−ＲＳ／ＰＵＳＣＨ／ＰＵＣＣＨ領域を構成することができる。
【０１４８】
しかしながら、同一時点の同一周波数領域においてｎＴＴＩ  ＵＥとｓＴＴＩ  ＵＥがＭＵ−ＭＩＭＯ（Ｍｕｌｔｉ  Ｕｓｅｒ−Ｍｕｌｔｉｐｌｅ  Ｉｎｐｕｔ  Ｍｕｌｔｉｐｌｅ  Ｏｕｔｐｕｔ）できる場合、ｎＴＴＩ  ＵＥはｓＴＴＩ  ＵＥのＤＭ−ＲＳ／ＰＵＣＣＨ送信を考慮して、ＵＬ信号／チャンネルを送信することができる。即ち、ｎＴＴＩ  ＵＥはｓＴＴＩ  ＵＥとの共存のために既存のＴＩ＃ｎのＰＵＳＣＨ領域のうちｓＴＴＩ  ＵＥのＰＵＣＣＨ／ＤＭ−ＲＳ（例えば、シンボル＃６及び＃７）を空けてパンクチャリング又はレートマッチングを行い、残りの領域においてＰＵＳＣＨ送信を行ってもよい。さらに、ｎＴＴＩ  ＰＵＳＣＨの受信性能を向上させるために、ｎＴＴＩ  ＵＥもシンボル＃７上にＤＭ−ＲＳを追加送信するように設定されてもよい。このとき、ＭＵ−ＭＩＭＯされるsＴＴＩ  ＵＥが送信するＤＭ−ＲＳと前記ｎＴＴＩ  ＵＥが送信するＤＭ−ＲＳとの間には（擬似（ｑｕａｓｉ−））直交性（ｏｒｔｈｏｇｏｎａｌｉｔｙ）が保障される必要がある。
【０１４９】
このように、ＵＥがＰＵＳＣＨ領域のうち一部のシンボルを空けて、データパンクチャリング又はレートマッチングを行い、特定のシンボルでＤＭ−ＲＳを送信して、いずれのＤＭ−ＲＳシーケンスを送信するかを決定するために、これに対するシグナリングが必要になる。ここで、図９において、ＴＩ＃ｎに対するスケジューリングを行うＴＩ＃ｎ−ｋ上ＵＬグラントは、以下のような情報を全部又は一部含んでもよい。
【０１５０】
−  ＵＬデータを空けるシンボルの位置（及び当該シンボル領域内の特定周波数リソース）
【０１５１】
−  パンクチャリング又はレートマッチングの可否
【０１５２】
−  ＵＬデータを空けたシンボルのうち一部のシンボルでＤＭ−ＲＳがさらに送信されるか否か及びＤＭ−ＲＳが送信される位置
【０１５３】
−さらに送信されるＤＭ−ＲＳのシーケンス関連情報（例えば、ルートインデックス（ｒｏｏｔ  ｉｎｄｅｘ）、循環シフト（ｃｙｃｌｉｃ  ｓｈｉｆｔ、以下「ＣＳ」）、直交カバーコード（ｏｒｔｈｏｇｏｎａｌ  ｃｏｖｅｒ  ｃｏｄｅ、以下「ＯＣＣ」）など）
【０１５４】
上述した情報のうち一部は予め定められるか、又は上位層シグナリングによって設定されてもよい。
【０１５５】
一例として、パンクチャリング又はレートマッチングの可否は、予め設定されてもよい。
【０１５６】
また、さらに送信されるＤＭ−ＲＳのシーケンス情報は、予め上位層シグナリングによって設定されるか、ＴＩ＃ｎ−ｋ上ＵＬグラントに含まれたＤＭ−ＲＳ情報から約束された規則によって設定されてもよい。このときの約束された規則とは、ＵＬグラントでシグナリングされたＤＭ−ＲＳのＣＳ値＋オフセット値（予め定められるか、又は上位層シグナリングによって設定された値）によってさらに送信されるＤＭ−ＲＳのＣＳ値が設定されるか、同一のＣＳを用いるが、予め設定されたＯＣＣをシンボル単位で乗してさらに送信されてもよい。
【０１５７】
また、ＴＩ＃ｎ−ｋ上ＵＬグラントでシグナリングされたＤＭ−ＲＳがコーム（ｃｏｍｂ）タイプで送信される場合、他のＵＥは他のコームインデックス（ｃｏｍｂ  ｉｎｄｅｘ）を活用してＤＭ−ＲＳが送信されるように規則が設定されてもよい。
【０１５８】
上述したように、ＴＩ＃ｎをスケジュールするＴＩ＃ｎ−ｋにおいて、ｎＴＴＩ  ＵＥにｓＴＴＩ  ＵＥとの共存可否を通知することもできるが、一般に、ｓＴＴＩ  ＵＥのためのスケジューリング遅延（ｓｃｈｅｄｕｌｉｎｇ  ｌａｔｅｎｃｙ）がより短いことから、ＴＩ＃ｎ−ｋ時点はｓＴＴＩ  ＵＥとｎＴＴＩ  ＵＥが共存するか否かを基地局が知らないことがある。この場合、基地局は、ＴＩ＃ｎ−ｘ（０＜＝ｘ＜ｋ）時点にｓＴＴＩ  ＵＥの存否をｎＴＴＩ  ＵＥにさらに通知してもよい。
【０１５９】
ｓＴＴＩ  ＵＥの存否を通知するためのＵＬグラントは、ＵＥ−特定（ｓｐｅｃｉｆｉｃ）ＤＣＩで送信されるか、ＴＩ＃ｎ−ｋ時点に送信されたＵＬグラントよりもシグナリングされる情報が相対的に少ないことがあるため、少ないビット幅（ｂｉｔ−ｗｉｄｔｈ）のコンパクトＤＣＩで送信されてもよい。
【０１６０】
また、ｓＴＴＩ  ＵＥの存否を通知するためのＵＬグラントは、ＵＥ−グループ又はセル−共通ＤＣＩで送信されてもよい。これによって、図９のように、同一周波数領域にＵＥ間ＭＵ−ＭＩＭＯされるか、同一ＴＩにＦＤＭされる場合、ｎＴＴＩ  ＵＥはｓＴＴＩ  ＵＥが共存していることを認知することができ、これによってｓＴＴＩ  ＵＥのＰＵＣＣＨ領域を考慮して、前記ＰＵＣＣＨ領域を空けてＰＵＳＣＨを送信するように設定されてもよい。
【０１６１】
また、上述したｘ値によって、ＰＵＳＣＨ領域が設定されたＵＬデータに対するレートマッチング又はパンクチャリングの可否が決定されてもよい。一例として、ＵＥ具現において、１ＴＩのみに変更されたＰＵＳＣＨ領域に対するレートマッチングが難しい場合、前記ＵＥは、ｘ＞１である場合に限ってレートマッチングを行い、ｘ＝１である場合には、パンクチャリングを行うように規則が設定されてもよい。
【０１６２】
上述した方法では、ｎＴＴＩ  ＵＥとｓＴＴＩ  ＵＥの共存のみを例示したが、この方法は、あるＴＴＩ  ＵＥと相対的に小さいＴＴＩ  ＵＥ間の共存にも拡張して適用できる。また、この方法は、数秘術（ｎｕｍｅｒｏｌｏｇｙ）及び副搬送波間隔（ｓｕｂｃａｒｒｉｅｒ  ｓｐａｃｉｎｇ）が異なり、搬送波間又はサブバンド間又は同一周波数リソース内のシンボル長さの異なるＵＥ間の共存にも拡張して適用できる。
【０１６３】
また、ｎＴＴＩ  ＵＥのＵＬデータ領域の中間には、ｓＴＴＩ  ＵＥのＰＵＣＣＨ／ＤＭ−ＲＳが位置してもよい。また、ｎＴＴＩ  ＵＥのＵＬデータ領域の中間には、ｓＴＴＩ  ＵＥのためのＤＬ制御／ＤＬデータ／ガード区間／ＤＬ信号／ＵＬデータ／ＵＬ信号などがさらに位置してもよい。これによって、ｎＴＴＩ  ＵＥは上述した事項を考慮して、一部のシンボル領域を空けたままＵＬデータ送信を行うように設定されてもよい。
【０１６４】
３．２．２．ＤＬ信号送受信方法
【０１６５】
上述したように、ＵＬデータ／制御送信時に様々なＴＴＩサイズのＵＥが共存することができ、上述した構成はＤＬデータ送信時に様々なＴＴＩサイズのＵＥが共存する場合にも拡張して適用できる。以下では、様々なＴＴＩサイズのＵＥがＤＬデータ受信のために共存する方法を説明する。
【０１６６】
図１０は、様々なＴＴＩサイズを有するＵＥが共存する場合、下りリンク制御信号及びデータ信号を送受信する方法を示す図である。図１０では、ＴＩと同一長さのＴＴＩをｎＴＴＩと定義して、ＴＩよりも長いＴＴＩはｌｏｎｇ  ＴＴＩ、短いＴＴＩはｓＴＴＩと定義する。
【０１６７】
図１０のように、２ＴＩ長さのｌｏｎｇ  ＴＴＩ  ＵＥのみのためにＴＩ＃ｎ及びＴＩ＃ｎ＋１を介してＰＤＳＣＨが送信される場合、ＴＩ＃ｎ＋１上にさらなるＤＬ制御信号無しに連続してＰＤＳＣＨが送信される。しかし、図１０のように、ＴＩ＃ｎ＋２及びＴＩ＃ｎ＋３においてｓＴＴＩ  ＵＥのためのＰＤＳＣＨが送信される場合には、当該２ＴＩの間にはｌｏｎｇ  ＴＴＩ  ＵＥとｓＴＴＩ  ＵＥの共存を考慮する必要がある。
【０１６８】
このとき、ＴＩ＃ｎ＋２の最後にガード区間／ＵＬ制御／ＵＬデータ／ＵＬ信号／ＤＬ信号などが存在したり、ＴＩ＃ｎ＋３開始にＤＬ制御／ガード区間などが存在したりする場合、基地局がＵＥにその情報を通知する必要があり得る。さらに、基地局は、ＴＩ＃ｎ＋３で送信されるＤＭ−ＲＳのシンボル位置も変更可能であることをＵＥに通知してもよい。
【０１６９】
このようなＴＴＩ内の特定のＴＩのうち一部のシンボルを空けたままＰＤＳＣＨが送信されるとか、ＤＭ−ＲＳ送信シンボル位置が変更されるとかなどの情報は、当該ＴＴＩにおけるＰＤＳＣＨをスケジュールするＵＥ−特定又はＵＥ−グループＤＬグラント又はセル−共通ＤＣＩなどを介して送信されてもよい。
【０１７０】
また、複数のＤＬ／ＵＬ  ＴＩで１つのＴＴＩを構成することにおいて、１つの送信ブロック（ｔｒａｎｓｐｏｒｔ  ｂｌｏｃｋ、以下「ＴＢ」）を全体のＴＴＩにマッピングして送信するか、（カバレッジ確保などのために）１つのＴＢを各ＴＩ毎に繰り返し送信するように設定されてもよい。
【０１７１】
複数のＤＬ／ＵＬ  ＴＩ（又は、スロット或いはサブフレーム）にスケジュールされたＰＤＳＣＨ又はＰＵＳＣＨを受信又は送信することにおいて、１つのＴＢはスケジュールされた全体のリソース領域にわたって送信されてもよい。以下では、当該ＴＢのＴＢサイズ（ＴＢＳ）を決定する方法及びＳＣＨリソースマッピング方法について説明する。
【０１７２】
３．２．２．１．ＴＢＳ決定方法
【０１７３】
従来のＬＴＥシステムにおいて、ＴＢＳはＭＣＳ（Ｍｏｄｕｌａｔｉｏｎ  ａｎｄ  Ｃｏｄｉｎｇ  Ｓｃｈｅｍｅ）レベル及び割り当てられたＰＲＢ（Ｐｈｙｓｉｃａｌ  Ｒｅｓｏｕｒｃｅ  Ｂｌｏｃｋ）サイズの関数に基づいて決定される。よって、本発明によって複数のスロットにわたってスケジュールされたＴＢのＴＢＳを決定するには、ＰＲＢサイズは全てのスロットに割り当てられたＰＲＢサイズの和で定義されてもよい。一例として、３つのスロットにわたって１つのＴＢがスケジュールされ、各スロット毎に１０ＰＲＢが割り当てられる場合、当該ＴＢのＴＢＳはＭＣＳレベルと３０ＰＲＢの関数に基づいて決定されてもよい。
【０１７４】
３．２．２．２．ＳＣＨリソースマッピング方法  
【０１７５】
従来のＬＴＥシステムにおいて、ＰＤＳＣＨは周波数優先マッピング（ｆｒｅｑｕｅｎｃｙ−ｆｉｒｓｔ  ｍａｐｐｉｎｇ）方法が適用され、ＰＵＳＣＨは時間優先マッピング（ｔｉｍｅ−ｆｉｒｓｔ  ｍａｐｐｉｎｇ）方法が適用される。ただし、ＰＵＳＣＨはリソースマッピング以後にＤＦＴ（Ｄｉｓｃｒｅｔｅ  Ｆｏｕｒｉｅｒ  Ｔｒａｎｓｆｏｒｍ）−プレコーディングによって同一ＯＦＤＭシンボルで送信される全ての変調シンボルが線形結合されて各副搬送波で送信される。このような動作は、リソースマッピングを行うときの副搬送波を論理的副搬送波インデックス（ｌｏｇｉｃａｌ  ｓｕｂｃａｒｒｉｅｒ  ｉｎｄｅｘ）とみなして、時間優先マッピングを行うことと解釈することができる。
【０１７６】
図１１及び図１２は、本発明に適用可能なＳＣＨのリソースマッピング方法を示す図である。
【０１７７】
図１１に示すように、時間優先マッピングを用いて送信するＳＣＨに対しては、図１１（ａ）の例示のように、各スロット毎に時間優先マッピングが行われるか、図１１（ｂ）の例示のように、特定の副搬送波インデックスに対してスケジュールされた全体のスロットに属する全てのシンボルに優先リソースマッピングが行われ、その後、次の副搬送波インデックスに対するリソースマッピングが行われてもよい。この場合、１つのコードブロックが複数のスロットにわたって送信されることで、時間ダイバーシティ（ｔｉｍｅ  ｄｉｖｅｒｓｉｔｙ）利得を得ることができる。
【０１７８】
また、図１２に示すように、周波数優先マッピングを用いて送信するＳＣＨに対しては、図１２（ａ）の例示のように、各スロット毎に周波数優先マッピングが行われるか、図１２（ｂ）の例示のように、各スロット毎に特定のシンボルインデックスに対してスケジュールされた全てのＲＢに属する副搬送波に優先リソースマッピングが行われ、その後、次のシンボルインデックスに対するリソースマッピングが行われてもよい。
【０１７９】
３．２．３．ＤＬ信号送信時において互いに異なるＴＴＩを有するＵＥの共存方法
【０１８０】
上述したように、ＤＬデータ送信においても、図９（ＵＬデータ送信の例示）と同様に、ｎＴＴＩ及びｓＴＴＩとの共存が考慮される。
【０１８１】
図１３は、連続する時間区間（ｔｉｍｅ  ｉｎｔｅｒｖａｌ、以下「ＴＩ」）の間にＴＴＩが異なるＵＥの信号送信方法を示す図である。
【０１８２】
図１３に示すように、ＴＩ＃ｎにおいてｎＴＴＩ  ＵＥがｓＴＴＩ  ＵＥとのＭＵ−ＭＩＭＯ（又は、ＦＤＭ）によって共存することができる。そのために、基地局は、ｎＴＴＩ  ＵＥにＴＩ＃ｎに送信されるＰＤＳＣＨ領域のうち一部のシンボルを空けたまま送信されることを指示することができる。一例として、図１３のように、基地局はｎＴＴＩ  ＵＥにシンボル＃５／＃６／＃７／＃８／＃９を空けることを通知してもよい。のみならず、基地局はｎＴＴＩ  ＵＥにシンボル＃９でさらにＤＭ−ＲＳが送信されることを指示することができる。上述したように、  ＴＴＩ内の一部のシンボルを空けたままＰＤＳＣＨが送信されることとか、ＤＭ−ＲＳ送信シンボル位置が追加されること（又は、変更されること）などの情報は、当該ＴＴＩにおけるＰＤＳＣＨを  スケジュールするＵＥ−特定又はＵＥ−グループＤＬグラント又はセル−共通ＤＣＩなどを介して送信されてもよい。
【０１８３】
ただし、図１３のフレーム構造は一例に過ぎず、ＰＤＣＣＨ領域、ＤＭ−ＲＳシンボル位置、ガード区間の存否／位置／間隔、ＰＵＣＣＨ領域の存否／位置／間隔などは変更されてもよく、その他の信号／チャンネルなどがさらに送信されてもよい。
【０１８４】
図９、図１０及び図１３の例示において、特定のＵＥが同一のＴＴＩ内に相対的に小さいサイズのＴＴＩを有するＵＥと多重化される場合、データ受信観点から小さいサイズの各々ＴＴＩにおいて干渉環境が異なるという特徴があり、特定のＵＥにはこれを考慮したデータ受信が必要となり得る。一例として、図１３において、ｎＴＴＩ  ＵＥがＴＩ＃ｎにおけるＰＤＳＣＨを受信することにおいて、シンボル＃３／＃４での干渉状況とシンボル＃１０／＃１１での干渉状況とは異なることがある。
【０１８５】
ＭＩＭＯシステムにおいて、多重受信アンテナを有している受信機は、受信アルゴリズムとして、通常、ＭＭＳＥ（Ｍｉｎｉｍｕｍ  Ｍｅａｎ  Ｓｑｕａｒｅ  Ｅｒｒｏｒ）方式をよく用いる。ＭＭＳＥ受信方式は、干渉の性質をどのぐらい反映したかによって多数のタイプに区分される。ＭＭＳＥ受信機のタイプを区分するために、ＭＩＭＯシステムでは、以下のような受信信号を定義する。
【０１８６】
【数１】
2019526196.tif 000006
【０１８７】
ここで、
2019526196.tif 000007
はチャンネル行列、
2019526196.tif 000008
はチャンネル行列、及び
2019526196.tif 000009
は送信データベクトルを示す。また、
2019526196.tif 000010
は当該ＵＥに送信される自己信号（ｄｅｓｉｒｅｄ  ｓｉｇｎａｌ）を、
2019526196.tif 000011
はＭＵ−ＭＩＭＯペアリングによる互いにスケジュールされたＵＥのための信号を、
2019526196.tif 000012
はｋ番目の他のセルからの干渉信号を、また
2019526196.tif 000013
はガウス雑音を示す。
【０１８８】
ＭＭＳＥ受信機の受信重み行列は、受信機のタイプによって以下のように定義される。以下の式において、
2019526196.tif 000014
、
2019526196.tif 000015
、及び
2019526196.tif 000016
を示す。また、
2019526196.tif 000017
は、ｉ番目の受信アンテナで測定された雑音及び総干渉電力（ｎｏｉｓｅ  ａｎｄ  ｔｏｔａｌ  ｉｎｔｅｒｆｅｒｅｎｃｅ  ｐｏｗｅｒ）を示し、
2019526196.tif 000018
はｉ番目の受信アンテナでサービング送信ポイント（ｓｅｒｖｉｎｇ  ｔｒａｎｓｍｉｓｓｉｏｎ  ｐｏｉｎｔ）以外の他の送信ポイントからの干渉電力及び雑音電力の和を示す。
【０１８９】
ＭＭＳＥタイプ１の受信機は数式２のように定義され、ＭＭＳＥタイプ２の受信機は数式３のように定義され、ＭＭＳＥタイプ３の受信機（例えば、ＭＭＳＥ−ＩＲＣ（Ｉｎｔｅｒｆｅｒｅｎｃｅ  Ｒｅｊｅｃｔｉｏｎ  Ｃｏｍｂｉｎｉｎｇ）受信機）は、数式４のように定義される。
【０１９０】
【数２】
2019526196.tif 000019
【０１９１】
【数３】
2019526196.tif 000020
【０１９２】
【数４】
2019526196.tif 000021
【０１９３】
ＭＭＳＥタイプ１の受信機は、最も簡単な受信機であって、雑音を含む全干渉信号の共分散行列（ｃｏｖａｒｉａｎｃｅ  ｍａｔｒｉｘ）が対角行列（ｄｉａｇｏｎａｌ  ｍａｔｒｉｘ）であると仮定する。即ち、ＭＭＳＥタイプ１の受信機は、各々の受信アンテナに受信された干渉信号の相関関係はないと仮定する。
【０１９４】
一方、ＭＭＳＥタイプ２の受信機は、互いにスケジュールされた（ｃｏ−ｓｃｈｅｄｕｌｅｄ）ＭＵ−ＭＩＭＯ  ＵＥのための信号を把握して、当該信号の共分散行列を考慮して、当該信号からの干渉を最小化させる。
【０１９５】
ＭＭＳＥタイプ３の受信機は、ＭＭＳＥ−ＩＲＣ受信機とも称されるが、隣接セルからの干渉信号まで含んで全干渉信号の共分散行列を考慮して、自己信号（ｄｅｓｉｒｅｄ  ｓｉｇｎａｌ）の受信方向を決定するので、最高の性能が出せる。しかしながら、干渉共分散行列の測定が不正確である場合、性能劣化する可能性があるので、共分散行列の推定の複雑さに関連するデメリットがあり得る。
【０１９６】
ＭＭＳＥ−ＩＲＣの能力を有しているＵＥの場合、このＵＥは、ＰＤＳＣＨ受信時に最適な受信性能を得るために、ＭＭＳＥ−ＩＲＣを適用して受信重み行列を決定する。ただし、図１３において、ｎＴＴＩ  ＵＥがＴＩ＃ｎにおけるＰＤＳＣＨを受信するのに、シンボル＃３／＃４での干渉状況とシンボル＃１０／＃１１での干渉状況とが異なり得るため、ＵＥは当該重み行列を決定するのに、シンボル＃３／＃４の重み行列とシンボル＃１０／＃１１の重み行列を別々に算出されてもよい。換言すれば、ＵＥは、シンボル＃３／＃４  のＰＤＳＣＨ受信時の重み行列を算出した後、シンボル＃１０／＃１１のＰＤＳＣＨ受信時の重み行列を再算出してもよい。
【０１９７】
また、図１３において、ｎＴＴＩ  ＵＥがＴＩ＃ｎにおけるＰＤＳＣＨを受信するのに、ＵＥはシンボル＃３／＃４での干渉状況とシンボル＃１０／＃１１での干渉状況とが異なることを考慮して、当該ＴＩ＃ｎ上に複数のコードブロックが送信されるとき、各コードブロックが互いに異なる sＴＴＩ領域にわたって送信されないように設定されてもよい。
【０１９８】
上述したｓＴＴＩ領域によって干渉状況が異なることを考慮したＭＭＳＥ−ＩＲＣ受信機の重み行列算出方法及びコードブロックの構成方法は、ＤＬデータのみならずＵＬデータにも同様に適用できる。
【０１９９】
上述した本発明によって、互いに異なるＴＴＩが適用された端末が同一のリソースを介して上りリンク信号を送信する場合、互いに異なるＴＴＩが適用された端末の共存のために端末と基地局との信号送受信方法は、以下のようである。
【０２００】
以下では、第１の時間長さのＴＴＩが適用された端末は第１の端末として、第２の時間長さのＴＴＩが適用された端末は第２の端末とする。このとき、第１の時間長さは第２の時間長さよりも短くてもよい。
【０２０１】
第１の端末は第１の時間区間の間に基地局から第２の時間区間の間の上りリンク信号送信をスケジュールする上りリンクグラントを受信する。
【０２０２】
次いで、第１の端末は基地局から第２の時間区間のうち一部のシンボルに関する情報を受信する。
【０２０３】
次いで、第１の端末は第２の時間区間の間に第１の時間長さのＴＴＩに基づいて決定された構造によって、互いに異なるシンボルで復調参照信号（ＤＭ−ＲＳ）、物理上りリンク制御チャンネル（ＰＵＣＣＨ）及び物理上りリンク共有チャンネル（ＰＵＳＣＨ）のうち１つ以上を送信する。特に、第１の端末は第１の時間長さのＴＴＩに基づいて決定された構造のうち受信された情報が指示する１つ以上のシンボルの各々に対してパンクチャリング（ｐｕｎｃｔｕｒｉｎｇ）又はレートマッチング（ｒａｔｅ−ｍａｔｃｈｉｎｇ）の実行又は第１の時間長さのＴＴＩに基づいて決定された構造の代わりにＤＭ−ＲＳ送信を行う。
【０２０４】
このとき、第２の時間区間のうち一部のシンボルに関する情報は、第１の時間区間の間に送信される。
【０２０５】
また、第２の時間区間のうち一部のシンボルに関する情報は、第１の時間区間と第２の時間区間との間に位置する第３の時間区間の間に送信される。このとき、第１の端末が第１の時間長さのＴＴＩに基づいて決定された構造のうち受信された情報が指示するシンボルのうち１つ以上のシンボルに対してパンクチャリング又はレートマッチングを行う場合、第１の端末のパンクチャリング又はレートマッチングを行うか否かは、第２の時間区間と第３の時間区間との時間差に基づいて決定される。
【０２０６】
ここで、第１の時間長さは１つの時間区間の長さと同一に設定されてもよく、特に、１つの時間区間の長さは、システム上の１つのスロット区間の長さと同一に設定されてもよい。
【０２０７】
上述した第１の端末の動作において、前記第１の時間長さのＴＴＩに基づいて決定された構造は、前記１つの時間区間のうち第１番目のシンボルから送信されるＤＭ−ＲＳと、前記１つの時間区間のうち第２番目乃至第１３番目のシンボルから送信されるＰＵＳＣＨと、前記１つの時間区間のうち第１４番目のシンボルから送信されるＰＵＣＣＨを含む構造として設定されてもよい。
【０２０８】
また、別の一例として、前記第１の時間長さのＴＴＩに基づいて決定された構造は、１つの時間区間内の時間方向によって、１つ以上のシンボルから送信される物理下りリンク制御チャンネル（ＰＤＣＣＨ）；１つ以上のシンボルに形成されるギャップ（ｇａｐ）と、１つ以上のシンボルから送信されるＰＵＳＣＨと、１つ以上のシンボルから送信されるＰＵＣＣＨと、を含む構造と設定されてもよい。このとき、具体例として、前記第１の時間長さのＴＴＩに基づいて決定された構造は、全１４個のシンボルを含む１つのフレーム又はスロット内の第１番目及び第２番目のシンボルから送信されるＰＤＣＣＨ、第３番目のシンボルに形成されるギャップ（ｇａｐ）、第４番目及び第５番目のシンボルから送信されるＤＭ−ＲＳ、第６番目乃至第１３番目のシンボルから送信されるＰＵＳＣＨ、第１４番目のシンボルから送信されるＰＵＣＣＨ又はサウンディング参照信号（ｓｏｕｎｄｉｎｇ  ｒｅｆｅｒｅｎｃｅ  ｓｉｇｎａｌ，ＳＲＳ）を含む構造と設定されてもよい。
【０２０９】
また、第２の時間区間  のうち一部のシンボルに関する情報は、上りリンク信号を空ける（ｅｍｐｔｙ）シンボルの位置と、前記上りリンク信号を空ける動作として、パンクチャリング又はレートマッチングを行うか否かと、ＤＭ−ＲＳを送信するシンボルの位置と、さらに送信されるＤＭ−ＲＳのシーケンス情報のうち１つ以上を含んでもよい。
【０２１０】
このとき、第２の時間区間のうち一部のシンボルに関する情報の一部は、上位層シグナリングで送信されてもよい。
【０２１１】
上述した第１の端末の動作に対応する基地局は、第１の時間長さのＴＴＩが適用された第１の端末と第２の時間長さのＴＴＩが適用された第２の端末とが共存する時間区間の間に第１の端末から上りリンク信号を以下のように受信する。
【０２１２】
まず、基地局は第１の時間区間の間に第１の端末に第２の時間区間の間の上りリンク信号送信をスケジュールする上りリンクグラントを送信する。
【０２１３】
次いで、基地局は第２の時間区間の間に第１の端末と第２の端末が共存する場合、第２の時間区間のうち一部のシンボルに関する情報を第１の端末に送信する。
【０２１４】
次いで、基地局は第２の時間区間の間に第１の時間長さのＴＴＩに基づいて決定された構造によって互いに異なるシンボルで復調参照信号（ＤＭ−ＲＳ）、物理上りリンク制御チャンネル（ＰＵＣＣＨ）及び物理上りリンク共有チャンネル（ＰＵＳＣＨ）のうち１つ以上を第１の端末から受信して、第２の時間区間のうち１つ以上のシンボルの各々に対しては第１の端末からパンクチャリング又はレートマッチングが行われた上りリンク信号又はＤＭ−ＲＳを受信する。
【０２１５】
その他に、基地局の技術構成として、上述した端末の技術構成が同様に適用できる。
【０２１６】
３．３．複数のＴＴＩを介する信号送受信方法
【０２１７】
ここでは、複数のＴＴＩ（又は、スロット或いはサブフレーム）にわたってＵＬ／ＤＬ信号が送信される方法を説明する。
【０２１８】
３．３．１．信号送受信方法
【０２１９】
上述のような方法は、ＵＬ制御情報の送信が複数のＴＴＩ（又は、スロット或いはサブフレーム）にわたって送信される場合にも適用できる。これによって、上りリンク制御情報（例えば、ＵＣＩ、ＨＡＲＱ−ＡＣＫ／ＣＳＩ／ＳＲ（ｓｃｈｅｄｕｌｉｎｇ  ｒｅｑｕｅｓｔ）など）は、複数のＴＴＩの全体又は複数のＴＴＩの大部分の時間領域を介して送信されることができる。このような信号送受信方法は、セル外郭に位置するＵＥ（例えば、Ｃｅｌｌ  ｅｄｇｅ  ＵＥ）のカバレッジの問題が解決できるというメリットがある。
【０２２０】
以下、説明の便宜のために、１つのＴＴＩにおける所定数以上のシンボルよりも多いシンボル（例えば、４シンボル以上）を介して送信されるＵＬ制御をＬｏｎｇ  ＰＵＣＣＨと定義する。一例として、Ｌｏｎｇ  ＰＵＣＣＨは機械タイプの通信（ｍａｃｈｉｎｅ  ｔｙｐｅ  ｃｏｍｍｕｎｉｃａｔｉｏｎ、以下「ＭＴＣ」）ＵＥのようにＵＥ  ＲＦ（Ｒａｄｉｏ  Ｆｒｅｑｕｅｎｃｙ）性能が良くないか、非常に広いカバレッジを保障するための目的として活用できる。また、より広いカバレッジを支援するために、Ｌｏｎｇ  ＰＵＣＣＨは複数のＴＴＩを介して送信されてもよい。
【０２２１】
図１４は、本発明の一例によって、ＵＥがＬｏｎｇ  ＰＵＣＣＨ及びＰＵＳＣＨを送信する動作を示す図である。図１４では、１つのＴＴＩを１つのスロット（ｓｌｏｔ）で示し、横軸は時間を、縦軸は周波数領域を意味する。以下では、図１４を参照して、本発明で説明する信号送受信方法について詳細に説明する。
【０２２２】
Ｌｏｎｇ  ＰＵＣＣＨの送信領域は、ＤＣＩ（例えば、ＤＬ割り当て（ａｓｓｉｇｎｍｅｎｔ））又は上位層シグナリングによって設定されてもよい。ＵＥはＬｏｎｇ  ＰＵＣＣＨ領域のうちＤＬ制御／ＤＬデータ／ガード区間／ＤＬ信号／ＵＬデータ／ＵＬ信号のうち１つ以上を考慮して、一部のシンボルを空けてパンクチャリングされたＬｏｎｇ  ＰＵＣＣＨ又は予め設定された規則によってＴＴＩより短い長さで設定されたＬｏｎｇ  ＰＵＣＣＨを送信することができる。このとき、Ｌｏｎｇ  ＰＵＣＣＨに対応するＤＣＩ又は上位層シグナリングは、以下の情報の一部又は全部を含む。
【０２２３】
−  Ｌｏｎｇ  ＰＵＣＣＨが複数のＴＴＩを介して送信されるとき、各ＴＴＩ毎に（又は、ＴＴＩ共通として）空けるべきシンボルの位置
【０２２４】
−  Ｌｏｎｇ  ＰＵＣＣＨが複数のＴＴＩを介して送信されるとき、各ＴＴＩ毎に（又は、ＴＴＩ共通として）空けるべきシンボル領域における特定の周波数リソース
【０２２５】
また、１つのＬｏｎｇ  ＰＵＣＣＨ送信に使用／割り当てられる複数のＴＴＩは、時間軸に連続したＴＴＩからなるか、又は不連続した（具体例として、特定の周期を有する周期的な）ＴＴＩからなってもよい。この場合、各ＴＴＩにおいて実際にＬｏｎｇ  ＰＵＣＣＨ送信に用いられる時間（例えば、シンボル）区間は、当該ＴＴＩ区間における特定の一部（例えば、最初）シンボルを除くその他の（時間軸に）連続したシンボルに割り当てられてもよい。
【０２２６】
このとき、（ＰＵＣＣＨ送信から除外される）当該特定の一部シンボルは、ＤＬ制御送信及び／又はガード区間用として予約（ｒｅｓｅｒｖｅ）されたシンボル（一例として、各ＴＴＩ毎に又はＴＴＩ共通として設定されたＤＬ制御送信シンボル期間（ｓｙｍｂｏｌ  ｄｕｒａｔｉｏｎ）の最大値）で指定されてもよい。これによって、ＵＥはＬｏｎｇ  ＰＵＣＣＨ送信に割り当てられたＴＴＩを介してはＤＬデータ送信に対するスケジューリングはないと（即ち、ＵＬデータ送信に対するスケジューリングのみあり得ると）仮定／みなされた状態で動作することができる。一例として、ＵＥはＬｏｎｇ  ＰＵＣＣＨが割り当てられたＴＴＩの間にＤＬデータ送信をスケジュールするＤＬグラントＤＣＩが検出された場合、当該ＤＣＩを無視してもよい。
【０２２７】
また、上述のような単一ＴＴＩ内の（ＰＵＣＣＨ送信）シンボル割り当ては、１つのＬｏｎｇ  ＰＵＣＣＨ送信に使用／割り当てられる複数のＴＴＩに同様に適用できる。この場合、１つのＴＴＩにおいて実際にＰＵＣＣＨ送信に割り当てられるシンボル数は、全てのＴＴＩに対して得同一又は異なるように割り当てられることができる。
【０２２８】
また、各ＴＴＩ毎に又はＴＴＩ共通としてＵＬ領域が設定されてもよく、当該ＵＬ領域のうち一部又は全部のシンボルに対してＰＵＣＣＨ送信が設定されてもよい。一例として、図１４のように、ｓｌｏｔ＃ｎ＋１及びｓｌｏｔ＃ｎ＋２の全２個のＴＴＩ又はスロットにわたってＬｏｎｇ  ＰＵＣＣＨ送信が設定される場合、各スロットにおいて前部の４個のシンボルはＤＬ制御（及び／又はガード区間）用として予め設定されてもよい。また、１つのスロットにおける最後から１２個のシンボルは予めＵＬ領域として設定され、スロット共通として１２個のシンボルのうち最後から１０個のシンボルがＬｏｎｇ  ＰＵＣＣＨ領域として設定されてもよい（図１４のＳｌｏｔ＃ｎ＋１におけるＰＵＣＣＨを参照）。
【０２２９】
さらに、上述のようなＬｏｎｇ  ＰＵＣＣＨに対する周波数ホッピングの適用時点（及び／又は周期）及び／又はホッピング周波数の間隔などに関する情報は、ＤＣＩ又は上位層シグナリングなどを介して設定／指示されてもよい。このとき、周波数ホッピングは、単一ＴＴＩ（又は、スロット）内のホッピングを意味してもよく、図１４のようにインター−ＴＴＩ（又は、インター−スロット）ホッピングを意味してもよく、スロットの倍数間隔のホッピング（例えば、２スロットおきにホッピングを実行 ）を意味してもよい。
【０２３０】
また、Ｌｏｎｇ  ＰＵＣＣＨ送信リソースに周波数ホッピングを適用するとき、単一スロットにおけるホッピングは許容されなくてもよい。換言すれば、Ｌｏｎｇ  ＰＵＣＣＨ送信リソースは単一スロットにおいてホッピングなくスロット間（ｉｎｔｅｒ−ｓｌｏｔ）ホッピングのみが設定される。また、上述のようなホッピング動作は、ｍｕｌｔｉ−ＴＴＩ  ＰＵＳＣＨ又はｍｕｌｔｉ−ｓｌｏｔ  ＰＵＳＣＨ（例えば、複数のＴＴＩにわたって送信されるＰＵＳＣＨ）に対しても適用できる。
【０２３１】
また、ＦＤＤ（Ｆｒｅｑｕｅｎｃｙ  Ｄｉｖｉｓｉｏｎ  Ｄｕｐｌｅｘ）搬送波に対しては、具体的に、スロットの全てのシンボルを介してＬｏｎｇ  ＰＵＣＣＨ送信が行われてもよい。一例として、連続した３個のスロットにわたってＬｏｎｇ  ＰＵＣＣＨが設定される場合、ＵＥは連続した３個のスロット内の全てのシンボルを介してＬｏｎｇ  ＰＵＣＣＨを送信することができる。
【０２３２】
ただし、特定スロット上のＳＲＳ送信及び／又は短い区間（ｓｈｏｒｔ  ｄｕｒａｔｉｏｎ）ＰＵＣＣＨ（例えば、１シンボルＰＵＣＣＨ）などを考慮して、本発明によるＦＤＤ搬送波に対してもＵＥは一部のシンボルを空けたままＬｏｎｇ  ＰＵＣＣＨを送信することができる。
【０２３３】
この場合、連続して送信されるＬｏｎｇ  ＰＵＣＣＨではなく、不連続して送信されるＬｏｎｇ  ＰＵＣＣＨに限って時間軸上に不連続した地点において周波数ホッピングが特徴的に設定（又は許容）されてもよい。何故ならば、連続して送信されるＬｏｎｇ  ＰＵＣＣＨに対してはあえて電力遷移区間（ｐｏｗｅｒ  ｔｒａｎｓｉｅｎｔ  ｐｅｒｉｏｄ）による性能劣化をさせないためのである。このような方法は、ＦＤＤ搬送波のみならず、一般的な（例えば、ＴＤＤ（Ｔｉｍｅ  Ｄｉｖｉｓｉｏｎ  Ｄｕｐｌｅｘ）搬送波）システムにも拡張して適用できる。
【０２３４】
これによって、複数のスロットにわたって送信されるＬｏｎｇ  ＰＵＣＣＨに対して一部のスロットは全てのシンボルがＵＬ制御領域として設定されてもよく、一部のスロットはＤＬ制御／ガード区間を考慮して、一部のシンボルのみがＵＬ制御領域として設定されてもよい。この場合にも、時間軸上に不連続した地点に周波数ホッピングが適用 ／設定されてもよい。
【０２３５】
３．３．２．時間送信領域の設定方法
【０２３６】
以下では、単一スロット又は多重スロットベースのＬｏｎｇ  ＰＵＣＣＨ又はＰＵＳＣＨ又はＰＤＳＣＨの時間送信領域の設定方法を説明する。以下に説明する構成のみならず、上述した構成のうち、Ｌｏｎｇ  ＰＵＣＣＨに適用可能な事項はＰＵＳＣＨ又はＰＤＳＣＨに対しても同様に適用できる。
【０２３７】
３．３．２．１．第１の方案
【０２３８】
Ｌｏｎｇ  ＰＵＣＣＨ（又は、ＰＵＳＣＨ或いはＰＤＳＣＨ）が送信されるスロット数及びスロットインデックスはＲＲＣシグナリング又は第１の層（例えば、ＰＨＹ、Ｌ１）シグナリング又はＲＲＣシグナリングとＬ１シグナリングの組み合わせによって決定されてもよい。次いで、各スロット内のＬｏｎｇ  ＰＵＣＣＨ（又は、ＰＵＳＣＨ或いはＰＤＳＣＨ）が送信されるシンボル数及びシンボルインデックスは、Ｌ１シグナリングによって決定されてもよい。
【０２３９】
このとき、ＲＲＣシグナリングとＬ１シグナリングの組み合わせは、ＬＴＥシステムのＡＲＩ（ＡＣＫ／ＮＡＣＫ  ｒｅｓｏｕｒｃｅ  ｉｎｄｉｃａｔｏｒ）と同様に、候補（ｃａｎｄｉｄａｔｅ）を優先ＲＲＣシグナリングとして設定した後、Ｌ１シグナリングによって当該候補のうち１つの値が指示される方法が適用できる。また、シンボル数及びシンボルインデックスを指示するＬ１シグナリングは、ＵＥ−特定ＤＣＩ又はＵＥ−グループ共通ＤＣＩ又はセル共通ＤＣＩで送信されてもよい。
【０２４０】
一例として、ＵＥ−グループ又はセル共通ＰＤＣＣＨを介してスロット内のＤＬ制御／ＤＬデータ／ガード区間／ＵＬ制御／ＵＬデータなどの構成方法（又は、スロットフォーマット／タイプ）に対する指示子（以下、説明の便宜のために、スロットフォーマット指示子（ｓｌｏｔ  ｆｏｒｍａｔ  ｉｎｄｉｃａｔｏｒ）と称する）が送信される場合、ＵＥは当該情報を通じて各々のスロットのＵＬ制御領域（又は、ＵＬデータ領域又はＤＬデータ領域）を認知することができ、当該領域内にＬｏｎｇ  ＰＵＣＣＨ（又は、ＰＵＳＣＨ或いはＰＤＳＣＨ）が送信されると仮定することができる。
【０２４１】
別の方法としては、Ｌｏｎｇ  ＰＵＣＣＨ（又は、ＰＵＳＣＨ或いはＰＤＳＣＨ）が送信されるスロット数、スロットインデックス及びスロット内の開始シンボルインデックス（ｓｔａｒｔｉｎｇ  ｓｙｍｂｏｌ  ｉｎｄｅｘ）は、ＲＲＣシグナリング又はＬ１シグナリング又はＲＲＣシグナリングとＬ１シグナリングの組み合わせによって決定され、各スロットのＬｏｎｇ  ＰＵＣＣＨ（又は、ＰＵＳＣＨ或いはＰＤＳＣＨ）のシンボル区間は、Ｌ１シグナリングによって決定されてもよい。
【０２４２】
別の方法としては、Ｌｏｎｇ  ＰＵＣＣＨ（又は、ＰＵＳＣＨ或いはＰＤＳＣＨ）が送信されるスロット数、スロットインデックス及びスロット内のシンボル区間は、ＲＲＣシグナリング又はＬ１シグナリング又はＲＲＣシグナリングとＬ１シグナリングの組み合わせによって決定され、各スロット内のＬｏｎｇ  ＰＵＣＣＨ（又は、ＰＵＳＣＨ或いはＰＤＳＣＨ）が送信される開始（又は最後）シンボルインデックスは、Ｌ１シグナリングによって決定されてもよい。
【０２４３】
３．３．２．２．第２の方案
【０２４４】
Ｌｏｎｇ  ＰＵＣＣＨ（又は、ＰＵＳＣＨ或いはＰＤＳＣＨ）が送信されるスロット数及びスロットインデックスのみならず、各スロット内のＬｏｎｇ  ＰＵＣＣＨ（又は、ＰＵＳＣＨ或いはＰＤＳＣＨ）が送信されるシンボル数及びシンボルインデックスは、ＲＲＣシグナリング又はＬ１シグナリング又はＲＲＣシグナリングとＬ１シグナリングの組み合わせによって決定されてもよい。
【０２４５】
このとき、ＲＲＣシグナリングとＬ１シグナリングの組み合わせは、ＬＴＥシステムのＡＲＩと同様に、候補を優先ＲＲＣシグナリングとして設定した後、Ｌ１シグナリングによって当該候補のうち１つの値が指示される方法が適用できる。具体的には、各々のスロットインデックスのスロットにおけるＬｏｎｇ  ＰＵＣＣＨ（又は、ＰＵＳＣＨ或いはＰＤＳＣＨ）が送信されるシンボル数及び  シンボルインデックスは、ＲＲＣシグナリングを介して設定され、Ｌｏｎｇ  ＰＵＣＣＨ（又は、ＰＵＳＣＨ或いはＰＤＳＣＨ）が送信されるスロットインデックスは動的な（ｄｙｎａｍｉｃ）Ｌ１シグナリングを介して指示されてもよい。即ち、このようなＲＲＣシグナリング及びＬ１シグナリングの組み合わせによってＬｏｎｇ  ＰＵＣＣＨ（又は、ＰＵＳＣＨ或いはＰＤＳＣＨ）の時間送信領域が設定されてもよい。
【０２４６】
ここで、ＲＲＣシグナリングとＬ１シグナリングの組み合わせによって設定されたＬｏｎｇ  ＰＵＣＣＨ（又は、ＰＵＳＣＨ或いはＰＤＳＣＨ）の時間送信領域は、スロットフォーマット指示子によってシグナリングされたＵＬ制御領域（又は、ＵＬデータ領域或いはＤＬデータ領域）が設定されたＬｏｎｇ  ＰＵＣＣＨ（又は、ＰＵＳＣＨ或いはＰＤＳＣＨ）領域と異なってもよい。これによって、ＵＥはスロットフォーマット指示子によってシグナリングされた領域に合わせて実際に送信を行い、上述した２つの方法によって指示された各領域間の重畳の度合いに応じた結果によって、以下のように互いに異なる方式の送信方法が適用できる。
【０２４７】
（１）スロットフォーマット指示子によってシグナリングされた領域内に設定されないＬｏｎｇ  ＰＵＣＣＨ（又は、ＰＵＳＣＨ或いはＰＤＳＣＨ）シンボル領域の場合
【０２４８】
一例として、スロットフォーマット指示子によってシグナリングされた領域がシンボル＃３〜＃１０であり、Ｌｏｎｇ  ＰＵＣＣＨ（又は、ＰＵＳＣＨ或いはＰＤＳＣＨ）領域がシンボル＃４〜＃１２である場合、基地局又はＵＥはシンボル＃３送信方法として以下のような送信方法を行うことができる。具体的には、基地局とＵＥとの誤整列（ｍｉｓａｌｉｇｎｍｅｎｔ）による影響を最小化するために、基地局又はＵＥは当該領域（スロットフォーマット指示子によってはシグナリングされるが、他の指示方法によって設定された時間送信領域には含まれない領域）では重複ビット（ｒｅｄｕｎｄａｎｃｙ  ｂｉｔ）のみを含んでＰＵＳＣＨ又はＰＤＳＣＨを送信したり、特定のシンボル（例えば、シンボル＃４〜＃１０のうち一部のシンボル）を同様に繰り返して送信したりすることができる。
【０２４９】
（２）スロットフォーマット指示子によってシグナリングされた領域の外側に設定されたＬｏｎｇ  ＰＵＣＣＨ（又は、ＰＵＳＣＨ或いはＰＤＳＣＨ）シンボル領域の場合
【０２５０】
一例として、スロットフォーマット指示子によってシグナリングされた領域がシンボル＃３〜＃１０であり、Ｌｏｎｇ  ＰＵＣＣＨ（又は、ＰＵＳＣＨ或いはＰＤＳＣＨ）領域がシンボル＃４〜＃１２である場合、基地局又はＵＥはシンボル＃１１／＃１２送信方法として以下のような送信方法を行うことができる。具体的には、基地局とＵＥとの誤整列（ｍｉｓａｌｉｇｎｍｅｎｔ）による影響を最小化するために、基地局又はＵＥは当該領域（スロットフォーマット指示子によってはシグナリングされず、他の指示方法によって設定された時間送信領域には含まれる領域）ではパンクチャリングを行うように設定されてもよい。
【０２５１】
３．３．３．Ｌｏｎｇ  ＰＵＣＣＨ及びＰＵＳＣＨが同時にスケジュールされる場合の信号送受信方法
【０２５２】
また、図１４のように、Ｌｏｎｇ  ＰＵＣＣＨが３つのスロットにわたって送信されるように設定すると同時に当該スロット（又は、その一部のスロット）にＰＵＳＣＨ送信がスケジュールされてもよい。この場合、以下のような３つの動作が適用できる。かかる方法は、複数のスロットにわたって送信されるＬｏｎｇ  ＰＵＣＣＨのみならず、単一スロットから送信されるＬｏｎｇ  ＰＵＣＣＨにも同様に適用できる。
【０２５３】
３．３．３．１．第１の方式
【０２５４】
ＰＵＳＣＨとＬｏｎｇ  ＰＵＣＣＨが同一スロットに設定される場合、ＰＵＳＣＨの開始／最後のシンボルとＬｏｎｇ  ＰＵＣＣＨの開始／最後のシンボルは、同一であるようにスケジューリング制限（ｓｃｈｅｄｕｌｉｎｇ  ｒｅｓｔｒｉｃｔｉｏｎ）が適用できる。これに対応して、ＵＥも同一スロット内のＰＵＳＣＨとＬｏｎｇ  ＰＵＣＣＨに対して、ＰＵＳＣＨの開始／最後のシンボルとＬｏｎｇ  ＰＵＣＣＨの開始／最後のシンボルが異なると期待しなくてもよい。換言すれば、ＵＥは同一スロット内のＰＵＳＣＨの開始／最後のシンボルは、Ｌｏｎｇ  ＰＵＣＣＨの開始／最後のシンボルと同一であると期待することができる。
【０２５５】
３．３．３．２．第２の方式
【０２５６】
ＰＵＳＣＨとＬｏｎｇ  ＰＵＣＣＨが同一スロットに設定される場合、ＰＵＳＣＨ又Ｌｏｎｇ  ＰＵＣＣＨに対してはより短い長さのチャンネルに合わせてパンクチャリング又はレートマッチングが行われてもよい。
【０２５７】
一例として、図１４のｓｌｏｔ＃ｎの場合、より短い長さのＰＵＣＣＨに合わせてＰＵＳＣＨの前部の２つのシンボル及び／又は後部の１つのシンボルに対してパンクチャリング又はレートマッチングが行われてもよい。このとき、前部の２つのシンボルがパンクチャリング又はレートマッチングされる場合、ＤＭ−ＲＳは実際に送信されるＰＵＳＣＨの最初のシンボルから送信されてもよい。
【０２５８】
別の例として、図１４のｓｌｏｔ＃ｎ＋１の場合、より短い長さのＰＵＳＣＨに合わせてＰＵＣＣＨの前部の３つのシンボル及び／又は後部の１つのシンボルに対してパンクチャリングするか、又は短くなった長さに合わせて予め設定されたＰＵＣＣＨフォーマットでＰＵＣＣＨが送信されてもよい。
【０２５９】
３．３．３．３．第３の方式
【０２６０】
ＰＵＳＣＨとＬｏｎｇ  ＰＵＣＣＨが同一スロットに設定される場合、ＰＵＳＣＨ又はＬｏｎｇ  ＰＵＣＣＨに対してより長い長さのチャンネルに合わせて繰り返し（ｒｅｐｅｔｉｔｉｏｎ）又はレートマッチングが行われるか、（前記２つのチャンネルのうちより長いチャンネルがＬｏｎｇ  ＰＵＣＣＨである場合）ＰＵＳＣＨに対して重複ビット（ｒｅｄｕｎｄａｎｃｙ  ｂｉｔ）は増加されたリソース領域から送信されてもよい。
【０２６１】
一例として、図１４のｓｌｏｔ＃ｎの場合、より長いＰＵＳＣＨに合わせてＰＵＣＣＨの前部の２つのシンボル及び／又は後部の１つのシンボルに対して繰り返しが適用されるか、又は長くなった長さに合わせて予め設定されたＰＵＣＣＨフォーマットでＰＵＣＣＨが送信されてもよい。このとき、前部の２つのシンボルに対して繰り返し（ｒｅｐｅｔｉｔｉｏｎ）が適用される場合、図１４の第５／６番目のシンボルで送信される信号が第３／４番目のシンボルから送信されてもよい。
【０２６２】
別の例として、図１４のｓｌｏｔ＃ｎ＋１の場合、より長いＰＵＣＣＨに合わせてＰＵＳＣＨの前部の３つのシンボル及び／又は後部の１つのシンボルに対して繰り返しが適用されるか、又はＰＵＳＣＨは長くなった長さに合わせてレートマッチングして送信されてもよい。このとき、繰り返しが適用される場合、第８番目のシンボルからＤＭ−ＲＳが送信されると、第９／１０／１１番目に送信された信号を第５／６／７番目のシンボルで繰り返し送信することができる。また、長くなった長さに合わせてレートマッチングして信号を送信する場合、ＤＭ−ＲＳは依然として第８番目のシンボルから送信されてもよく、第５番目のシンボルから送信されてもよい。
【０２６３】
図１４のｓｌｏｔ＃ｎ＋２の例示のように、ＰＵＳＣＨとＬｏｎｇ  ＰＵＣＣＨが同一スロット内に設定される場合、又はＰＵＳＣＨの時間領域とＬｏｎｇ  ＰＵＣＣＨの時間領域が部分的に重なる場合、上述した第２の方式又は第３の方式のように、各チャンネルの全長を考慮した送信方法が適用できる。
【０２６４】
また、スロット内のＰＵＳＣＨ／Ｌｏｎｇ  ＰＵＣＣＨの開始と最後とで、上述した送信方法がそれぞれ独立して適用されてもよい。一例として、開始では第２の方式が適用され、第４番目のシンボルでＰＵＳＣＨが送信されなくてもよい。最後では第３の方式が適用され、第１３／１４番目のシンボルでＰＵＳＣＨが送信されてもよい。
【０２６５】
上述した方法に対しては、チャンネル間優先順位を設定する方法が適用できる。一例として、Ｌｏｎｇ  ＰＵＣＣＨの安定した送信を優先して、Ｌｏｎｇ  ＰＵＣＣＨの送信長さを維持するように（又は、減らさないように）規則が設定されてもよい。これによって、図１４のｓｌｏｔ＃ｎ＋１に対しては、第３の方式が適用できる。
【０２６６】
３．３．４．信号送受信動作を支援するためのシグナリング方法
【０２６７】
以下では、１つのＬｏｎｇ  ＴＴＩが複数のｓＴＴＩからなる場合、Ｌｏｎｇ  ＴＴＩに属する各ｓＴＴＩ単位毎に空けるべきシンボルの位置を通知する具体的なシグナリング方法を説明する。このような方法は、図１０の例示のように、１つのＤＣＩを介して複数のＴＴＩをスケジュールするとき、各ＴＴＩの開始／最後地点を通知することと同様である。説明の便宜のために、以下では、１つのＤＣＩを介して複数のＴＴＩをスケジュールする場合を挙げて発明を説明するが、当該方法はＬｏｎｇ  ＴＴＩに属する各ｓＴＴＩ毎に空けるべきシンボル位置を通知する場合にも同様に拡張して適用できる。また、当該方法は、ＤＬデータのみならず、ＵＬデータ／制御の場合にも適用できる。
【０２６８】
（１）ＤＬ／ＵＬデータ／制御開始時点  
【０２６９】
全柔軟性（Ｆｕｌｌ  ｆｌｅｘｉｂｉｌｉｔｙ）のために、基地局は、各ＴＴＩ毎にＤＬ又はＵＬデータ／制御の開始シンボル位置をＤＣＩを介してＵＥに指示してもよい。このとき、シグナリングオーバーヘッド（ｓｉｇｎａｌｉｎｇ  ｏｖｅｒｈｅａｄ）を考慮して、一部のＴＴＩにおけるＤＬ又はＵＬデータ／制御の開始シンボルは、ＤＣＩを介して指示されるが、他のＴＴＩにおけるＤＬ又はＵＬデータ／制御の開始シンボルは、上位層シグナリング（又は、予め設定された値）によって固定して設定されてもよい。
【０２７０】
一例として、スケジュールされる最初のＴＴＩにおけるＤＬ又はＵＬデータ／制御の開始シンボル位置はＤＣＩを介して指示されるが、その後、ＴＴＩにおけるＤＬ又はＵＬデータ／制御の開始シンボル位置はＲＲＣによって設定されてもよい。
【０２７１】
また、シグナリングオーバーヘッドを減らすための別の方法としては、各々のＴＴＩのＤＬ又はＵＬデータ／制御の開始シンボル候補は、上位層シグナリング（又は、予め設定された値）に制限され、各々のＴＴＩのＤＬ又はＵＬデータ／制御の実際の開始シンボルはＤＣＩを介して指示されてもよい。
【０２７２】
一例として、各々のＴＴＩのＤＬ又はＵＬデータ／制御の可能な開始シンボルは２つに制限され、基地局はビットマップ情報によって、実際の開始シンボルをＵＥに通知してもよい。仮にＲＲＣ又は動的に設定された開始シンボル位置が当該ＴＴＩの最初のシンボルである場合、ＵＥが当該ＴＴＩではＤＬ制御受信を試みなくてもよいことを意味する。換言すれば、ＵＥは当該ＴＴＩでＤＬ制御受信を期待しなくてもよい。ＵＬデータ／制御の開始シンボルが指示される場合、当該シンボルの直前のシンボルは、ＤＬ／ＵＬギャップとして活用できる。即ち、当該シンボルに対してはＤＬ制御領域として構成されないように規則が設定されてもよい。
【０２７３】
（２）ＤＬ又はＵＬデータ／制御最後時点
【０２７４】
ＵＬ制御などが各ＴＴＩ内の最後の時間領域に存在できる場合、ＴＴＩのＤＬ又はＵＬデータ／制御の最後時点も動的に変化することができる。上述したＤＬ又はＵＬデータ／制御の開始時点をシグナリングする方法と同様に、各ＴＴＩ毎にＤＬ又はＵＬデータ／制御の終了シンボル位置はＤＣＩを介して指示されてもよい。
【０２７５】
また、シグナリングオーバーヘッド考慮して、一部ＴＴＩにおけるＤＬ又はＵＬデータ／制御の終了シンボルはＤＣＩを介して通知するが、その他のＴＴＩにおけるＤＬ又はＵＬデータ／制御の終了シンボルは上位層シグナリング（又は、予め設定された値）によって固定して設定されてもよい。
【０２７６】
また、各ＴＴＩのＤＬ又はＵＬデータ／制御の終了シンボル候補は、上位層シグナリング（又は、予め設定された値）によって制限され、各ＴＴＩのＤＬ又はＵＬデータ／制御の実際の終了シンボルはＤＣＩを介して指示されてもよい。
【０２７７】
また、全てのＴＴＩにおけるＤＬ又はＵＬデータ／制御の終了シンボルは、上位層シグナリング  （又は、予め設定された値）によって固定して設定され、ＤＣＩを介してはＤＬ又はＵＬデータ／制御の終了シンボルの位置が指示されなくてもよい。
【０２７８】
３．４．１つのＤＣＩを介して複数のＴＴＩをスケジュールする場合の信号送受信方法
【０２７９】
図１５は、１つのＤＣＩを介して複数のＴＴＩをスケジュールする場合を示す図である。
【０２８０】
図１５に示すように、１つのＤＣＩを介して複数のＴＴＩをスケジュールする場合、１つのＤＣＩが実際にスケジュールするＴＴＩ数に応じて（又は、当該ＤＣＩで許容される最大スケジューリングＴＴＩ数に応じて）ＵＣＩ（Ｕｐｌｉｎｋ  Ｃｏｎｔｒｏｌ  Ｉｎｆｏｒｍａｔｉｏｎ）フィードバック方法（例えば、時間／周波数リソース及び／又は上りリンク制御フォーマット）が異なってもよい。
【０２８１】
具体的に、ＵＬ制御に載せられるＵＣＩ（ｕｐｌｉｎｋ  ｃｏｎｔｒｏｌ  ｉｎｄｉｃａｔｏｒ、ＨＡＲＱ−ＡＣＫ、ＣＳＩ、ＳＲ（ｓｃｈｅｄｕｌｉｎｇ  ｒｅｑｕｅｓｔ）、ビーム（ｂｅａｍ）情報などが含まれる）情報の量及び／又は種類などに応じて、ＵＣＩに対する様々なフォーマットが設定でき、当該ＤＣＩが実際にスケジュールするＴＴＩ数に応じて（又は、当該ＤＣＩで許容される最大スケジューリングＴＴＩ数に応じて）、互いに異なるフォーマットが決定されるように規則が設定されてもよい。また、各フォーマット毎に実際にＵＣＩが送信される時間／周波数リソースの候補が上位層シグナリングによって設定されてもよく、複数のＴＴＩをスケジュールするＤＣＩを介して予め設定されたＵＣＩリソースのうち実際に使用するリソースの位置を動的に指示することができる。かかる特徴は、スケジュールするＴＴＩ数に応じて（又は、当該ＤＣＩで許容される最大スケジューリングＴＴＩ数に応じて）、適したＵＣＩ送信フォーマットが決定され、決定されたフォーマットによって互いに異なるＵＣＩリソースが適用されることと解釈されてもよい。
【０２８２】
図１５の例示のように、１つのＤＣＩを介して複数のＴＴＩをスケジュールする場合、当該ＴＴＩに対して１つのＴＢ（ｔｒａｎｓｐｏｒｔ  ｂｌｏｃｋ）が送信されるか、各々のＴＴＩに対して１つのＴＢが送信されてもよい。又は、より一般には、１つ又は複数のＴＴＩからなるＴＴＩグループ毎に１つのＴＢが送信されてもよい。
【０２８３】
このような各々のＴＴＩのＴＢ構成方法がＤＣＩ（又は、Ｌ１シグナリング又は上位層シグナリング）を介してＵＥに指示されてもよい。一例として、ＤＣＩ内の明示的な１ビットサイズの情報によって、当該フィールドが「０」であれば当該ＤＣＩがスケジュールする全てのＴＴＩが１つのＴＢからなることを示し、「１」であれば当該ＤＣＩがスケジュールするＴＴＩが複数である場合、各ＴＴＩに対して別々のＴＢが送信されることを示してもよい。別の一例として、ＤＣＩによって指示されたＴＢサイズ（及びＴＴＩ又はスケジューリングされたＲＥｓの組み合わせ関係）によってスケジュールされたＴＴＩ上にＴＢを構成する方法が異なってもよい。即ち、ＴＢサイズがＸ以上であれば当該ＤＣＩがスケジュールする全てのＴＴＩが１つのＴＢからなることを示し、ＴＢサイズがＸ未満であれば当該ＤＣＩがスケジュールするＴＴＩが複数である場合、各ＴＴＩに対して別々のＴＢが送信されることを示してもよい。
【０２８４】
上述したように、ＤＣＩ（又は、Ｌ１シグナリング或いは上位層シグナリング）を介してスケジュールされたＴＴＩ上にＴＢを構成する方法が変更できてもよい場合、上述したＴＢ構成方法によって当該ＴＢ（ｓ）に対応されるＨＡＲＱ−ＡＣＫ（又は、ＵＣＩ（ｕｐｌｉｎｋ  ｃｏｎｔｒｏｌ  ｉｎｆｏｒｍａｔｉｏｎ））送信方法が変更されてもよい。
【０２８５】
具体的に、当該ＤＣＩがスケジュールする複数のＴＴＩを介して送信されるＴＢ数が多いほどＨＡＲＱ−ＡＣＫ（又はＵＣＩ）ペイロードサイズが大きく構成され、当該ＨＡＲＱ−ＡＣＫペイロードサイズ別に送信されるＰＵＣＣＨのフォーマット／タイミング／リソースを異ならせて設定してもよい。同様に、当該ＤＣＩがスケジュールする複数のＴＴＩを介して送信されるＴＢ数が多い（例えば、複数の）場合と少ない（例えば、１つの）場合とで異なるＰＵＣＣＨフォーマット／タイミング／リソースが設定されることができ、このとき、ＴＢ数が多い（例えば、複数の）場合に対して設定されたＰＵＣＣＨフォーマットが支援する最大のペイロードサイズは、ＴＢ数が少ない（例えば、１つの）場合に対して設定されたＰＵＣＣＨフォーマットが支援する最大のペイロードサイズよりも大きく設定されることができる。一例として、当該ＤＣＩが３ＴＴＩをスケジュールして、１つのＴＢのみをスケジュールする場合、これに対応するＨＡＲＱ−ＡＣＫは１ビットサイズで構成され、当該ＤＣＩが３ＴＴＩをスケジュールして、３つのＴＢ（各ＴＴＩに対して別々のＴＢが送信）をスケジュールする場合、これに対応するＨＡＲＱ−ＡＣＫは３ビットサイズで構成されてフィードバックされる。
【０２８６】
別の方法としては、当該ＤＣＩがスケジュールする複数のＴＴＩを介して送信されるＴＢの数には関係なくＨＡＲＱ−ＡＣＫ（又は、ＵＣＩ）ペイロードサイズは一定に維持されてもよい。一例として、１つのＴＢを構成する複数のコードブロック（ＣＢ）に対して、各ＣＢ又はＣＢグループ毎にＨＡＲＱ−ＡＣＫ送信が支援される。また、当該ＤＣＩに対応するＨＡＲＱ−ＡＣＫペイロードサイズがＫビットサイズで予め（又は、Ｌ１シグナリング或いは上位層シグナリングによって）設定されてもよい。これによって、当該ＤＣＩを介してスケジュールされたＴＴＩ上に１つ又は複数のＴＢが構成され、Ｍ個のＣＢからなるＣＢグループ別にＨＡＲＱ−ＡＣＫ送信が定義されてもよい。このとき、Ｍ個のＣＢからなるＣＢグループ数は、Ｋと同一であるようにＭ値が設定されてもよく、Ｍ値はＣＢグループ毎に異ならせて設定されてもよい。一例として、当該ＤＣＩが３ＴＴＩをスケジュールし、３つのＴＢ（各ＴＴＩに対して別々のＴＢが送信）をスケジュールする場合、各ＴＢは４つのＣＢからなってもよい。このとき、ＨＡＲＱ−ＡＣＫペイロードサイズが６ビットサイズで設定された場合、ＵＥは２ＣＢからなるＣＢグループを作成して、各ＣＢグループ別にＨＡＲＱ−ＡＣＫを６ビットサイズでフィードバックすることができる。
【０２８７】
図１６は、１つのＤＣＩを介して複数のスロット（又は、ＴＴＩ或いはサブフレーム）をスケジュールする動作を示す図である。
【０２８８】
図１６の例示のように、１つのＤＣＩを介して複数のスロット（又は、ＴＴＩ或いはサブフレーム）をスケジュールする場合、各々のスロットにスケジュールされるデータは、ＤＬデータであってもＵＬデータであってもよい。即ち、１つのＤＣＩにおいて複数のスロットをスケジュールする場合、ＤＬデータのみならず、ＵＬデータも共にスケジュールされることができる。このとき、各々のスロットに対してＤＬデータ又はＵＬデータが指示できる。また、ＤＬデータと当該ＤＬデータに対応するＰＵＣＣＨリソースがスケジュールされてもよい。
【０２８９】
一例として、ＤＣＩ（例えば、ＤＬ／ＵＬが統一された（ｕｎｉｆｉｅｄ）ＤＣＩ）は、ＤＬデータをスケジュールすると同時に、ＤＬデータに対応するＨＡＲＱ−ＡＣＫがＵＬデータにピギーバックされるように指示することができる。この場合、ＨＡＲＱ−ＡＣＫをピギーバックするＵＬデータに対するグラントミッシングケース（ｇｒａｎｔ  ｍｉｓｓｉｎｇ  ｃａｓｅ）を考慮しなくても良いので、基地局はＰＵＣＣＨリソースをさらに予約（ｒｅｓｅｒｖｅ）しなくてもよいというメリットがある。また、当該ＨＡＲＱ−ＡＣＫをＵＬデータ領域にピギーバックする場合、ＨＡＲＱ−ＡＣＫ領域のＵＬデータに対してパンクチャリングの代わりにレートマッチングを行うようにして、ＵＬデータ送信性能を向上させることができる。
【０２９０】
一方、１つのＤＣＩにおいてＤＬデータ及びＵＬデータを同時にスケジュールするときのＤＣＩオーバーヘッドを考慮して、ＤＣＩのＲＡ（Ｒｅｓｏｕｒｃｅ  Ａｓｓｉｇｎｍｅｎｔ）フィールドとＨＡＲＱプロセスインデックスは共通して設定されてもよい。すなわち、ＤＬデータを受信するＲＢ領域とＵＬデータを送信するＲＢ領域が同一に設定され、ＨＡＲＱプロセスインデックスも同一に設定されてもよい。なお、同一リンク方向に複数のスロットがスケジュールされる場合には、ＨＡＲＱプロセスインデックスが１つずつ増加して適用されてもよい。一例として、１つのＤＣＩを介してｓｌｏｔ＃ｎ、ｓｌｏｔ＃ｎ＋１、ｓｌｏｔ＃ｎ＋２をスケジュールする場合、１つのＤＣＩは各スロットに対して、ＤＬデータ、ＵＬデータ、ＤＬデータをスケジュールし、ＨＡＲＱプロセスインデックスは３と指示することができる。この場合、１つのＤＣＩを受信したＵＥは、ｓｌｏｔ＃ｎ及びｓｌｏｔ＃ｎ＋１に対応されるＨＡＲＱプロセスインデックスは３と認知して、ｓｌｏｔ＃ｎ＋２に対応するＨＡＲＱプロセスインデックスは４と認知することができる。
【０２９１】
図１７は、単一ＴＴＩにおいてＴＤＭ（Ｔｉｍｅ  Ｄｉｖｉｓｉｏｎ  Ｍｕｌｔｉｐｌｅｘｉｎｇ）が適用されたＤＬデータ送信方法を示す図である。
【０２９２】
図１７においては、単一ＴＴＩにおけるＴＤＭを介してＤＬデータ送信がスケジュールされる場合を示したが、この構成はＵＬデータ送信がスケジュールされる場合にも拡張して適用できる。
【０２９３】
上述のような動作は、アナログビームフォーミング状況下に異なるビーム方向のＵＥ間のＴＤＭのために、単一ＴＴＩにおいて複数の時間リソース単位（ｔｉｍｅ  ｒｅｓｏｕｒｃｅ  ｕｎｉｔ）を分けて、各ＵＥにリソースを割り当てることで、当該ＴＴＩにおけるＵＥ多重化が増大できるというメリットがある。このとき、ＤＬ（又はＵＬ）データリソースを割り当てる方法としては、以下の方法が適用できる。
【０２９４】
単一ＴＴＩを時間領域としてＮ個の時間単位（ｔｉｍｅ  ｕｎｉｔ，ＴＵ）に区分する場合、各ＴＴＩに対してＮ個のＴＵのうち実際にＤＬ又はＵＬデータ／制御がスケジュールされたリソース領域がＵＥに指示される。具体的に（従来のＬＴＥシステムの上りリンクリソース割り当てタイプ０、ＲＩＶ（ｒｅｓｏｕｒｃｅ  ｉｎｄｉｃａｔｉｏｎ  ｖａｌｕｅ）方式と同様に）連続したＴＵに対してのみスケジューリングが許容される。これは、同一のビーム方向に送／受信するデータの場合、時間軸に連続したリソースを活用することが効率的であるためである。
【０２９５】
このとき、ＤＬ制御領域／ガード区間／ＵＬ制御領域などが動的に可変できることを考慮すれば、ＤＬデータ領域及びＵＬデータ／制御領域のサイズが可変できる。これによって、１つのＴＴＩにおけるＴＵの設定方法は異なってもよい。また、動的に可変するＤＬ制御領域／ガード区間／ＵＬ制御領域のサイズが認知できないＵＥが存在する可能性を考慮して、一部のＴＵのサイズは固定したまま、特定のＴＵのサイズのみを可変するように設定されてもよい。一例として、あるＴＴＩにおける最初のＴＵ及び／又は最後のＴＵのサイズのみを可変するように設定されてもよい。
【０２９６】
最初のＴＵの場合、ＤＬ制御領域（及びガード区間）がないと仮定したり、当該領域の最小の時間領域区間（例えば、１シンボル）、又は当該領域の最大の時間領域区間（例えば、３シンボル）を考慮してＴＵが構成されてもよい。（動的シグナリングなどによって）各ＴＴＩのＤＬ制御領域（及びガード区間）サイズを知ったとき、当該領域のサイズを排除したまま最初のＴＵの開始点が設定されてもよい。一例として、ＤＬ制御領域（及びガード区間）を１シンボルと仮定してＴＵを構成した後、ＰＣＦＩＣＨ又はスロットフォーマット指示子によって当該ＴＴＩのＤＬ制御領域が２シンボルから構成されたことを知った場合、ＵＥは最初のＴＵの開始シンボルが第２番目のシンボルであることを認知することができる。
【０２９７】
最後のＴＵの場合、ＵＬ制御領域（及びガード区間）がないと仮定したり、当該領域の最小の時間領域区間（例えば、１シンボル）、又は当該領域の最大の時間領域区間（例えば、３シンボル）を考慮してＴＵが構成されてもよい。各ＴＴＩのＵＬ制御領域（及びガード区間）のサイズを知った場合、 ＵＥは当該領域のサイズを排除したまま最後のＴＵの終了点を設定することができる。一例として、ＵＬ制御領域（及びガード区間）がないと仮定してＴＵを構成した後、ＤＣＩ情報によって当該ＴＴＩのＵＬ制御領域が２シンボルで構成されたことを知った場合、ＵＥは最後のＴＵの最後のシンボルが当該ＴＴＩの最後から第３番目のシンボルであることが認知できる。
【０２９８】
上述した提案方式に対する一例も本発明の具現方法の１つとして含まれてもよく、一種の提案方式と見なし得ることは明白な事実である。また、上述した提案方式は独立して具現されてもよく、一部の提案方式の組合せ（又は、併合）の形態で具現されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０２９９】
４．装置構成
【０３００】
図１８は、提案する実施例が具現できる端末及び基地局の構成を示す図である。図１８に示めす端末及び基地局は、上述した端末と基地局とのＰＵＣＣＨ受信方法の実施例を具現するために動作する。
【０３０１】
端末（ＵＥ：Ｕｓｅｒ  Ｅｑｕｉｐｍｅｎｔ）１は、上りリンクでは送信端として動作し、下りリンクでは受信端として動作することができる。また、基地局（ｅＮＢ：ｅ−Ｎｏｄｅ  Ｂ）１００は、上りリンクでは受信端として動作し、下りリンクでは送信端として動作することができる。
【０３０２】
すなわち、端末及び基地局は、情報、データ及び／又はメッセージの送信及び受信を制御するためにそれぞれ、送信器（Ｔｒａｎｓｍｉｔｔｅｒ）１０，１１０及び受信器（Ｒｅｃｅｉｖｅｒ）２０，１２０を含むことができ、情報、データ及び／又はメッセージを送受信するためのアンテナ３０，１３０などを含むことができる。
【０３０３】
また、端末及び基地局はそれぞれ、上述した本発明の実施例を行うためのプロセッサ（Ｐｒｏｃｅｓｓｏｒ）４０，１４０、及びプロセッサの処理過程を臨時的に又は持続的に記憶できるメモリ５０，１５０を含むことができる。
【０３０４】
このように構成された基地局１００は、第１の時間長さのＴＴＩが適用された第１の端末１と第２の時間長さのＴＴＩが適用された第２の端末とが共存する時間区間の間に前記第１の端末１から以下の方法によって上りリンク信号を受信することができる。
【０３０５】
具体的に、前記基地局１００は前記送信機１１０を介して第１の時間区間の間に前記第１の端末１に第２の時間区間の間の上りリンク信号送信をスケジュールする上りリンクグラントを送信して、前記第２の時間区間の間に前記第１の端末1と第２の端末とが共存する場合、前記第２の時間区間のうち一部のシンボルに関する情報を前記第１の端末１に送信することができる。次いで、前記基地局１００は前記受信機１２０を介して前記第２の時間区間の間に前記第１の時間長さのＴＴＩに基づいて決定された構造によって、互いに異なるシンボルで復調参照信号（ＤＭ−ＲＳ）、物理上りリンク制御チャンネル（ＰＵＣＣＨ）及び物理上りリンク共有チャンネル（ＰＵＳＣＨ）のうち１つ以上を前記第１の端末１から受信して、前記第２の時間区間のうち１つ以上のシンボルの各々に対しては前記第１の端末１からパンクチャリング又はレートマッチングが行われた上りリンク信号又はＤＭ−ＲＳを受信することができる。
【０３０６】
これに対応して、第１の端末１は受信機２０を介して第１の時間区間の間に基地局１００から第２の時間区間の間の上りリンク信号送信をスケジュールする上りリンクグラントを受信して、前記基地局１００から前記第２の時間区間のうち一部のシンボルに関する情報を受信することができる。次いで、前記第１の端末１は送信機１０を介して前記第２の時間区間の間に前記第１の時間長さのＴＴＩに基づいて決定された構造によって、互いに異なるシンボルで復調参照信号（ＤＭ−ＲＳ）、物理上りリンク制御チャンネル（ＰＵＣＣＨ）及び物理上りリンク共有チャンネル（ＰＵＳＣＨ）のうち１つ以上を送信して、前記第１の時間長さのＴＴＩに基づいて決定された構造のうち前記受信された情報が指示する１つ以上のシンボルの各々に対してパンクチャリング（ｐｕｎｃｔｕｒｉｎｇ）又はレートマッチング（ｒａｔｅ−ｍａｔｃｈｉｎｇ）の実行又は前記第１の時間長さのＴＴＩに基づいて決定された構造の代わりにＤＭ−ＲＳを送信することができる。
【０３０７】
端末及び基地局に含まれた送信機及び受信機は、データ送信のためのパケット変復調機能、高速パケットチャンネルコーディング機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャンネル多重化機能を行うことができる。また、図１８の端末及び基地局は低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）ユニットをさらに含んでもよい。
【０３０８】
一方、本発明において端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートブックＰＣ、スマート（Ｓｍａｒｔ）フォン又はマルチモードマルチバンド（ＭＭ−ＭＢ：Ｍｕｌｔｉ  Ｍｏｄｅ−Ｍｕｌｔｉ  Ｂａｎｄ）端末機などが用いられる。
【０３０９】
ここで、スマートフォンとは、移動通信端末機と個人携帯端末機のメリットを組み合わせた端末機であって、移動通信端末機に個人携帯端末機の機能である日程管理、ファックス送受信及びインターネット接続などのデータ通信機能を統合した端末機を意味することができる。また、マルチモードマルチバンド端末機器とは、マルチモデムチッピを内装して携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システムなど）において作動できる全ての端末機のことをいう。
【０３１０】
本発明の実施例は、様々な手段によって具現できる。例えば、本発明の実施例は、ハードウェア、ファームウェア（ｆｉｒｍｗａｒｅ）、ソフトウェア又はこれらの組み合わせなどによって具現できる。
【０３１１】
ハードウェアによる具現の場合、本発明の実施例による方法は、１つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサー、コントローラ、マイクロコントローラ、マイクロプロセッサーなどによって具現できる。
【０３１２】
ファームウェアやソフトウェアによる具現の場合、本発明の実施例による方法は、上述した機能又は動作を行うモジュール、手順又は関数などの形態として具現できる。例えば、ソフトウェアコードは、メモリユニット５０、１５０に格納されてプロセッサー４０、１４０によって駆動されてもよい。メモリユニットは、プロセッサーの内部又は外部に位置することができ、既知の様々な手段によってプロセッサーとデータをやり取りすることができる。
【０３１３】
本発明は、本発明の技術的アイデア及び必須的特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。また、特許請求の範囲で明示的な引用関係のない請求項を組み合せて実施例を構成するか、出願後の補正によって新しい請求項として含ませ得ることは自明である。
【産業上の利用可能性】
【０３１４】
本発明の実施例は、様々な無線接続システムに適用することができる。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）又は３ＧＰＰ２システムなどがある。本発明の実施例は、様々な無線接続システムのみならず、様々な無線接続システムを応用する全ての技術分野に適用することができる。さらに、提案する方法は、超高周波帯域を用いるｍｍＷａｖｅ通信システムにも適用することができる。
【図１】
2019526196.tif 000022
【図２】
2019526196.tif 000023
【図３】
2019526196.tif 000024
【図４】
2019526196.tif 000025
【図５】
2019526196.tif 000026
【図６】
2019526196.tif 000027
【図７】
2019526196.tif 000028
【図８】
2019526196.tif 000029
【図９】
2019526196.tif 000030
【図１０】
2019526196.tif 000031
【図１１】
2019526196.tif 000032
【図１２】
2019526196.tif 000033
【図１３】
2019526196.tif 000034
【図１４】
2019526196.tif 000035
【図１５】
2019526196.tif 000036
【図１６】
2019526196.tif 000037
【図１７】
2019526196.tif 000038
【図１８】
2019526196.tif 000039
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
無線通信システムにおいて、端末（UE）が物理上りリンク制御チャネル（ＰＵＣＣＨ）信号を基地局に送信する方法であって、
上位層シグナリングと下りリンク制御情報（ＤＣＩ）の組合せに基づいてＰＵＣＣＨ構成を決定するステップと、
前記ＰＵＣＣＨ信号に対する信号の数に対する複数の候補と前記ＰＵＣＣＨ信号に対するシンボルインデックスについての情報に対する複数の候補は、前記上位層シグナリングを介して構成され、
前記ＰＵＣＣＨ信号に対する前記信号の数に対する前記複数の候補の中の前記ＰＵＣＣＨ信号に対する信号のある番号と、前記ＰＵＣＣＨ信号に対する前記シンボルインデックスについての前記情報に対する前記複数の候補の中の前記ＰＵＣＣＨ信号に対する前記シンボルインデックスについてのある情報は、前記ＤＣＩに基づいた前記ＰＵＣＣＨ構成として決定され、
前記ＰＵＣＣＨ構成に基づいて前記ＰＵＣＣＨ信号を送信するステップを含む、方法。
【請求項２】
前記ＰＵＣＣＨ構成に含まれる前記ＰＵＣＣＨ信号に対するスロット情報は前記ＤＣＩに基づいて決定される、請求項１に記載の方法。  
【請求項３】
前記ＰＵＣＣＨ信号が送信されるスロットインデックスは、前記ＰＵＣＣＨ信号に対する前記スロット情報に基づいて決定される、請求項１に記載の方法。
【請求項４】
前記上位層シグナリングは無線リソース制御（ＲＲＣ）シグナリングである、請求項１に記載の方法。
【請求項５】
前記ＤＣＩは端末（ＵＥ）特定ＤＣＩである、請求項１に記載の方法。
【請求項６】
無線通信システムにおいて、物理上りリンク制御チャネル（ＰＵＣＣＨ）信号を基地局に送信する通信機器であって、
メモリと、
前記メモリと動作的に結合したプロセッサとを備え、
前記プロセッサは、
上位層シグナリングと下りリンク制御情報（ＤＣＩ）の組合せに基づいてＰＵＣＣＨ構成を決定し、
前記ＰＵＣＣＨ信号に対する信号の数に対する複数の候補と前記ＰＵＣＣＨ信号に対するシンボルインデックスについての情報に対する複数の候補は、前記上位層シグナリングを介して構成され、
前記ＰＵＣＣＨ信号に対する前記信号の数に対する前記複数の候補の中の前記ＰＵＣＣＨ信号に対する信号のある番号と、前記ＰＵＣＣＨ信号に対する前記シンボルインデックスについての前記情報に対する前記複数の候補の中の前記ＰＵＣＣＨ信号に対する前記シンボルインデックスについてのある情報は、前記ＤＣＩに基づいた前記ＰＵＣＣＨ構成として決定され、
前記ＰＵＣＣＨ構成に基づいて前記ＰＵＣＣＨ信号を送信するように構成された、通信機器。
【請求項７】
前記ＰＵＣＣＨ構成に含まれる前記ＰＵＣＣＨ信号に対するスロット情報は前記ＤＣＩに基づいて決定される、請求項６に記載の通信機器。  
【請求項８】
前記ＰＵＣＣＨ信号が送信されるスロットインデックスは、前記ＰＵＣＣＨ信号に対する前記スロット情報に基づいて決定される、請求項６に記載の通信機器。
【請求項９】
前記上位層シグナリングは無線リソース制御（ＲＲＣ）シグナリングである、請求項６に記載の通信機器。
【請求項１０】
前記ＤＣＩは端末（ＵＥ）特定ＤＣＩである、請求項６に記載の通信機器。
【請求項１１】
無線通信システムにおいて、端末（UE）から物理上りリンク制御チャネル（ＰＵＣＣＨ）信号を受信する通信機器であって、
メモリと、
前記メモリと動作的に結合したプロセッサとを備え、
前記プロセッサは、
前記端末への、前記ＰＵＣＣＨ信号に対する信号の数に対する複数の候補と前記ＰＵＣＣＨ信号に対するシンボルインデックスについての情報に対する複数の候補を、上位層シグナリングを介して構成し、
前記ＰＵＣＣＨ信号に対する前記信号の数に対する前記複数の候補の中の前記ＰＵＣＣＨ信号に対する信号のある番号と、前記ＰＵＣＣＨ信号に対する前記シンボルインデックスについての前記情報に対する前記複数の候補の中の前記ＰＵＣＣＨ信号に対する前記シンボルインデックスについてのある情報を示す下りリンク制御情報（ＤＣＩ）を前記ＰＵＣＣＨ信号に対するＰＵＣＣＨ構成として送信し、
前記ＰＵＣＣＨ構成に基づいて送信された前記ＰＵＣＣＨ信号を受信するように構成された、通信機器。
【請求項１２】
前記ＤＣＩは、前記ＰＵＣＣＨ構成に含まれる前記ＰＵＣＣＨ信号に対するスロット情報をさらに含む、請求項１１に記載の通信機器。  
【請求項１３】
前記ＰＵＣＣＨ信号が受信されるスロットインデックスは、前記ＰＵＣＣＨ信号に対する前記スロット情報に基づいて決定される、請求項１１に記載の通信機器。
【請求項１４】
前記上位層シグナリングは無線リソース制御（ＲＲＣ）シグナリングである、請求項１１に記載の通信機器。
【請求項１５】
前記ＤＣＩは端末（ＵＥ）特定ＤＣＩである、請求項１１に記載の通信機器。
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
無線通信システムにおいて、端末（UE）が物理上りリンク制御チャネル（ＰＵＣＣＨ）信号を基地局に送信する方法であって、
上位層シグナリングと下りリンク制御情報（ＤＣＩ）の組合せに基づいてＰＵＣＣＨ構成を決定するステップと、
前記ＰＵＣＣＨ信号に対する信号の数に対する複数の候補と前記ＰＵＣＣＨ信号に対するシンボルインデックスについての情報に対する複数の候補は、前記上位層シグナリングを介して構成され、
前記ＰＵＣＣＨ信号に対する前記信号の数に対する前記複数の候補の中の前記ＰＵＣＣＨ信号に対する信号のある番号と、前記ＰＵＣＣＨ信号に対する前記シンボルインデックスについての前記情報に対する前記複数の候補の中の前記ＰＵＣＣＨ信号に対する前記シンボルインデックスについてのある情報は、前記ＤＣＩに基づいた前記ＰＵＣＣＨ構成として決定され、
前記ＰＵＣＣＨ構成に基づいて前記ＰＵＣＣＨ信号を送信するステップを含む、方法。
【請求項２】
前記ＰＵＣＣＨ構成に含まれる前記ＰＵＣＣＨ信号に対するスロット情報は前記ＤＣＩに基づいて決定される、請求項１に記載の方法。
【請求項３】
前記ＰＵＣＣＨ信号が送信されるスロットインデックスは、前記ＰＵＣＣＨ信号に対する前記スロット情報に基づいて決定される、請求項２に記載の方法。
【請求項４】
前記上位層シグナリングは無線リソース制御（ＲＲＣ）シグナリングである、請求項１に記載の方法。
【請求項５】
前記ＤＣＩは端末（ＵＥ）特定ＤＣＩである、請求項１に記載の方法。
【請求項６】
無線通信システムにおいて、物理上りリンク制御チャネル（ＰＵＣＣＨ）信号を基地局に送信する通信機器であって、
メモリと、
前記メモリと動作的に結合したプロセッサとを備え、
前記プロセッサは、
上位層シグナリングと下りリンク制御情報（ＤＣＩ）の組合せに基づいてＰＵＣＣＨ構成を決定し、
前記ＰＵＣＣＨ信号に対する信号の数に対する複数の候補と前記ＰＵＣＣＨ信号に対するシンボルインデックスについての情報に対する複数の候補は、前記上位層シグナリングを介して構成され、
前記ＰＵＣＣＨ信号に対する前記信号の数に対する前記複数の候補の中の前記ＰＵＣＣＨ信号に対する信号のある番号と、前記ＰＵＣＣＨ信号に対する前記シンボルインデックスについての前記情報に対する前記複数の候補の中の前記ＰＵＣＣＨ信号に対する前記シンボルインデックスについてのある情報は、前記ＤＣＩに基づいた前記ＰＵＣＣＨ構成として決定され、
前記ＰＵＣＣＨ構成に基づいて前記ＰＵＣＣＨ信号を送信するように構成された、通信機器。
【請求項７】
前記ＰＵＣＣＨ構成に含まれる前記ＰＵＣＣＨ信号に対するスロット情報は前記ＤＣＩに基づいて決定される、請求項６に記載の通信機器。
【請求項８】
前記ＰＵＣＣＨ信号が送信されるスロットインデックスは、前記ＰＵＣＣＨ信号に対する前記スロット情報に基づいて決定される、請求項７に記載の通信機器。
【請求項９】
前記上位層シグナリングは無線リソース制御（ＲＲＣ）シグナリングである、請求項６に記載の通信機器。
【請求項１０】
前記ＤＣＩは端末（ＵＥ）特定ＤＣＩである、請求項６に記載の通信機器。
【請求項１１】
無線通信システムにおいて、端末（UE）から物理上りリンク制御チャネル（ＰＵＣＣＨ）信号を受信する通信機器であって、
メモリと、
前記メモリと動作的に結合したプロセッサとを備え、
前記プロセッサは、
前記端末への、前記ＰＵＣＣＨ信号に対する信号の数に対する複数の候補と前記ＰＵＣＣＨ信号に対するシンボルインデックスについての情報に対する複数の候補を、上位層シグナリングを介して構成し、
前記ＰＵＣＣＨ信号に対する前記信号の数に対する前記複数の候補の中の前記ＰＵＣＣＨ信号に対する信号のある番号と、前記ＰＵＣＣＨ信号に対する前記シンボルインデックスについての前記情報に対する前記複数の候補の中の前記ＰＵＣＣＨ信号に対する前記シンボルインデックスについてのある情報を示す下りリンク制御情報（ＤＣＩ）を前記ＰＵＣＣＨ信号に対するＰＵＣＣＨ構成として送信し、
前記ＰＵＣＣＨ構成に基づいて送信された前記ＰＵＣＣＨ信号を受信するように構成された、通信機器。
【請求項１２】
前記ＤＣＩは、前記ＰＵＣＣＨ構成に含まれる前記ＰＵＣＣＨ信号に対するスロット情報をさらに含む、請求項１１に記載の通信機器。
【請求項１３】
前記ＰＵＣＣＨ信号が受信されるスロットインデックスは、前記ＰＵＣＣＨ信号に対する前記スロット情報に基づいて決定される、請求項１２に記載の通信機器。
【請求項１４】
前記上位層シグナリングは無線リソース制御（ＲＲＣ）シグナリングである、請求項１１に記載の通信機器。
【請求項１５】
前記ＤＣＩは端末（ＵＥ）特定ＤＣＩである、請求項１１に記載の通信機器。
【国際調査報告】
2019526196.tif 000040
2019526196.tif 000041
2019526196.tif 000042
2019526196.tif 000043